(57)【要約】【課題】表示装置がユーザ操作により変化する装置状態を検知して通知する機能を自ら具備しない場合でも、通信端末装置を経由して装置状態の変化をサーバで確認できるようにする。【解決手段】ネットワークＮＷを通じてサーバ装置２と通信可能な通信端末装置２０は、ＨＤＭＩ経由でテレビジョン装置１０と接続される。ユーザの電源オン／オフ操作に伴い、テレビジョン装置１０からの出力を、通信端末装置２０はＨＤＭＩ経由で取得し、取得した出力の中身の変化によりテレビジョン装置１０の電源オン状態／電源オフ状態を検知し、検知結果をネットワークＮＷを通じてサーバ装置２へ送信する。【選択図】図１
2014216915.tif 000002
【特許請求の範囲】
【請求項１】
外部の表示装置へ接続することが可能な接続手段と、ネットワークを介した通信を行うことが可能な通信手段とを備える通信端末装置において、
前記接続手段を通じて、外部の表示装置でなされた電源オン操作に伴う出力情報又は電源オフ操作に伴う出力情報の少なくともいずれかを外部の表示装置から取得する情報取得手段と、
前記情報取得手段が取得した出力情報に基づき、外部の表示装置の状態を検知する場合の複数の検知設定の中から、検知に用いる検知設定を特定する処理を行う検知設定手段と
を備えることを特徴とする通信端末装置。
【請求項２】
前記検知設定手段の処理で特定した検知設定に従って、前記情報取得手段が取得した出力情報に基づき外部の表示装置の状態を検知する状態検知手段と、
前記状態検知手段が検知した検知結果を、前記通信手段を通じて、外部の通知先へ送信する処理を行う手段と
を備える請求項２に記載の通信端末装置。
【請求項３】
外部の表示装置で表示させることが可能な画面コンテンツに応じた画面情報を記憶する記憶手段と、
前記記憶手段に記憶する画面情報を読み出して、前記接続手段を通じて出力する処理を行う手段と
を備え、
前記記憶手段は、電源オフ操作を行ってから、所要時間後に電源オン操作を行うことをユーザに指示する旨を含む画面コンテンツに応じたユーザ指示画面情報を記憶しており、
前記検知設定手段は、前記ユーザ指示画面情報を出力した場合に検知設定を特定する処理を行うようにしてある請求項１又は請求項２に記載の通信端末装置。
【請求項４】
外部の表示装置で電源オン操作がなされたこと、電源オフ操作がなされたこと、又は、入力系の切替操作がなされたことの少なくともいずれか一つを示す出力メッセージを、前記接続手段を通じて、外部の表示装置から取得する手段を備え、
前記検知設定手段は、いずれの出力メッセージも取得しない場合に検知設定を特定する処理を行うようにしてある請求項１乃至請求項３のいずれか１項に記載の通信端末装置。
【請求項５】
出力メッセージを取得した場合、前記状態検知手段は、取得した出力メッセージに基づき、外部の表示装置の状態を検知するようにしてある請求項４に記載の通信端末装置。
【請求項６】
前記接続手段を通じて、メッセージ要求を出力する手段を備え、
前記検知設定手段は、前記メッセージ要求に応じた応答メッセージを前記接続手段を通じて取得しない場合、検知設定を特定する処理を行うようにしてある請求項４又は５に記載の通信端末装置。
【請求項７】
外部の表示装置及び外部の通知先に対して通信を行うことが可能な通信手段を備える通信端末装置において、
前記通信手段を通じて、外部の表示装置との通信接続確立を示す出力を外部の表示装置から受信して取得する手段と、
前記出力を取得したか否かに基づき、外部の表示装置が電源オン状態又は電源オフ状態のいずれであるかを検知する状態検知手段と、
前記状態検知手段が検知した検知結果を、前記通信手段を通じて、外部の通知先へ送信する処理を行う手段と
を備えることを特徴とする通信端末装置。
【請求項８】
外部の表示装置へ接続することが可能な接続手段と、ネットワークを介した通信を行うことが可能な通信手段とを備える通信端末装置において、
前記接続手段を通じて、外部の表示装置との接続確立を示す出力を外部の表示装置から取得する手段と、
前記出力を取得したか否かに基づき、外部の表示装置が電源オン状態又は電源オフ状態のいずれであるかを検知する状態検知手段と、
前記状態検知手段が検知した検知結果を、前記通信手段を通じて、外部の通知先へ送信する処理を行う手段と
を備えることを特徴とする通信端末装置。
【請求項９】
外部の表示装置と接続可能な通信端末装置と、前記通信端末装置とネットワークを介して通信を行うことが可能なサーバとを備え、前記通信端末装置からの通知により外部の表示装置の状態を前記サーバで確認できるようにしてある装置状態確認システムにおいて、
前記通信端末装置は、請求項２乃至請求項８のいずれか１項に記載の通信端末装置であり、前記状態検知手段が検知した検知結果を、前記通信手段を通じて、前記サーバへ送信するようにしてあり、
前記サーバは、受信した検知結果を、受信日時と対応付けて記憶するようにしてあることを特徴とする装置状態確認システム。
【請求項１０】
外部の表示装置の状態を受け取って、外部の受信装置の状態を確認する装置状態確認方法において、
外部の表示装置から、外部の表示装置でなされた電源オン操作に伴う出力情報又は電源オフ操作に伴う出力情報の少なくともいずれかを外部の表示装置から取得するステップと、
取得した出力情報に基づき、外部の表示装置の状態を検知する場合の複数の検知設定の中から、検知に用いる検知設定を特定する処理を行うステップと、
特定された前記検知設定に従って、取得した出力情報に基づき外部の表示装置の状態を検知するステップと
を備えることを特徴とする装置状態確認方法。
【請求項１１】
外部の表示装置へ接続することが可能な接続手段と、ネットワークを介した通信を行うことが可能な通信手段とを備えるコンピュータで、外部の表示装置の状態を検知できるようにするためのコンピュータプログラムにおいて、
前記コンピュータを、
前記接続手段を通じて、外部の表示装置でなされた電源オン操作に伴う出力情報又は電源オフ操作に伴う出力情報の少なくともいずれかを外部の表示装置から取得する処理を行う手段と、
取得した出力情報に基づき、外部の表示装置の状態を検知する場合の複数の検知設定の中から、検知に用いる検知設定を特定する処理を行う手段として機能させることを特徴とするコンピュータプログラム。
【請求項１２】
外部の表示装置及び外部の通知先に対して通信を行うことが可能な通信手段を備えるコンピュータで、外部の表示装置の状態を外部の通知先へ通知する処理を行うためのコンピュータプログラムにおいて、
前記コンピュータを、
前記通信手段を通じて、外部の表示装置との通信接続確立を示す出力を外部の表示装置から受信して取得する処理を行う手段と、
前記出力を取得したか否かに基づき、外部の表示装置が電源オン状態又は電源オフ状態のいずれであるかを検知する処理を行う手段と、
検知結果を、前記通信手段を通じて、外部の通知先へ送信する処理を行う手段として機能させることを特徴とするコンピュータプログラム。
【請求項１３】
外部の表示装置へ接続することが可能な接続手段と、ネットワークを介した通信を行うことが可能な通信手段とを備えるコンピュータで、外部の表示装置の状態を外部の通知先へ通知する処理を行うためのコンピュータプログラムにおいて、
前記コンピュータを、
前記接続手段を通じて、外部の表示装置との接続確立を示す出力を外部の表示装置から取得する処理を行う手段と、
前記出力を取得したか否かに基づき、外部の表示装置が電源オン状態又は電源オフ状態のいずれであるかを検知する処理を行う手段と、
検知結果を、前記通信手段を通じて、外部の通知先へ送信する処理を行う手段として機能させることを特徴とするコンピュータプログラム。
【発明の詳細な説明】
【技術分野】
【０００１】
本発明は、ユーザにより使用されるテレビジョン装置又はコンピュータ用のディスプレイ装置等の表示装置の状態を検知できるようにした通信端末装置、装置状態確認システム、装置状態確認方法、及びコンピュータプログラムに関する。
【背景技術】
【０００２】
従来、ユーザにより日常的に使用（操作）されるテレビジョン装置の状態（ユーザによって電源オン操作がなされた状態、電源オフ操作がなされた状態等）を検知することが行われており、その検知した結果を利用する様々なサービスが存在する。
【０００３】
例えば、下記の特許文献１では、ユーザ操作に基づくテレビジョン装置の状態の検知結果をサーバへ送信することにより、ひとり暮らしの高年齢者等に異常が発生していないかを遠隔的に確認できる見守りサービスが説明されている。また、下記の特許文献２では、ユーザ操作に基づくテレビジョン装置の電源オン又はオフ状態の検知結果を視聴率調査機関へ送信することにより、特別な機器等を設置すること無しに、視聴率の調査を行えるようにしたサービスが説明されている。
【先行技術文献】
【特許文献】
【０００４】
【特許文献１】特開２０１１−２２７６９９号公報
【特許文献２】特開２０１２−１０５３５３号公報
【発明の概要】
【発明が解決しようとする課題】
【０００５】
上述した特許文献１、２で用いられるテレビジョン装置は、通常のテレビ機能に応じた処理の他に、ユーザ操作により変化するテレビジョン装置の状態を検知すること、及び検知結果を通知先へ送信すること等の特別な処理を行う必要がある。そのため、このような特別な機能を具備しない通常のテレビジョン装置では、そもそもテレビジョン装置の状態を検知できないことから、検知結果の利用を前提とした各種サービスに適用できないという問題がある。
【０００６】
また、テレビジョン装置は一般に、ユーザが電源オン操作又は電源オフ操作を行うと、それらの操作に応じた情報を外部へ出力できる仕様になっているが、このように出力される情報は、その形式、中身等が統一されておらず、テレビジョン装置の製造メーカー、機種等によって異なるため、テレビジョン装置から外部へ出力される情報に基づき、テレビジョン装置が電源オン状態であるか、電源オフ状態であるか等を外部で一律に判断するのは困難であるという問題もある。なお、このような各問題は、パソコンのモニターとして使用されるディスプレイ装置のように、テレビジョン装置以外の表示装置でも同様に生じる。
【０００７】
本発明は、斯かる事情に鑑みてなされたものであり、表示装置と接続可能な通信端末装置を用いることで、表示装置がユーザ操作により変化する装置の状態を検知するような特別な機能を具備しない場合であっても、通信端末装置又はサーバによって、装置の状態を検知して、装置の状態の検知結果の利用を前提とした各種サービスに表示装置を適用できるようにした通信端末装置、装置状態確認システム、装置状態確認方法、及びコンピュータプログラムを提供することを目的とする。
【０００８】
また、本発明は、表示装置の機種等に応じた検知設定の内容を記憶したテーブルを準備することで、様々な種類の表示装置に対して通信端末装置又はサーバによって装置の状態を確実に検知できるようにした通信端末装置、装置状態確認システム、装置状態確認方法、及びコンピュータプログラムを提供することを目的とする。
さらに、本発明は、表示装置が具備する様々な規格に応じた外部接続部・通信部を利用して装置の状態を検知できるようにした通信端末装置、装置状態確認システム、装置状態確認方法、及びコンピュータプログラムを提供することを目的とする。
【課題を解決するための手段】
【０００９】
上記課題を解決するために本発明に係る通信端末装置は、外部の表示装置へ接続することが可能な接続手段と、ネットワークを介した通信を行うことが可能な通信手段とを備える通信端末装置において、前記接続手段を通じて、外部の表示装置でなされた電源オン操作に伴う出力情報又は電源オフ操作に伴う出力情報の少なくともいずれかを外部の表示装置から取得する情報取得手段と、前記情報取得手段が取得した出力情報に基づき、外部の表示装置の状態を検知する場合の複数の検知設定の中から、検知に用いる検知設定を特定する処理を行う検知設定手段とを備えることを特徴とする。
【００１０】
本発明に係る通信端末装置は、前記検知設定手段の処理で特定した検知設定に従って、前記情報取得手段が取得した出力情報に基づき外部の表示装置の状態を検知する状態検知手段と、前記状態検知手段が検知した検知結果を、前記通信手段を通じて、外部の通知先へ送信する処理を行う手段とを備えることを特徴とする。
【００１１】
本発明に係る通信端末装置は、外部の表示装置で表示させることが可能な画面コンテンツに応じた画面情報を記憶する記憶手段と、前記記憶手段に記憶する画面情報を読み出して、前記接続手段を通じて出力する処理を行う手段とを備え、前記記憶手段は、電源オフ操作を行ってから、所要時間後に電源オン操作を行うことをユーザに指示する旨を含む画面コンテンツに応じたユーザ指示画面情報を記憶しており、前記検知設定手段は、前記ユーザ指示画面情報を出力した場合に検知設定を特定する処理を行うようにしてあることを特徴とする。
【００１２】
本発明に係る通信端末装置は、外部の表示装置で電源オン操作がなされたこと、電源オフ操作がなされたこと、又は、入力系の切替操作がなされたことの少なくともいずれか一つを示す出力メッセージを、前記接続手段を通じて、外部の表示装置から取得する手段を備え、前記検知設定手段は、いずれの出力メッセージも取得しない場合に検知設定を特定する処理を行うようにしてあることを特徴とする。
【００１３】
本発明に係る通信端末装置は、出力メッセージを取得した場合、前記状態検知手段は、取得した出力メッセージに基づき、外部の表示装置の状態を検知するようにしてあることを特徴とする。
本発明に係る通信端末装置は、前記接続手段を通じて、メッセージ要求を出力する手段を備え、前記検知設定手段は、前記メッセージ要求に応じた応答メッセージを前記接続手段を通じて取得しない場合、検知設定を特定する処理を行うようにしてあることを特徴とする。
【００１４】
本発明に係る通信端末装置は、外部の表示装置及び外部の通知先に対して通信を行うことが可能な通信手段を備える通信端末装置において、前記通信手段を通じて、外部の表示装置との通信接続確立を示す出力情報を外部の表示装置から受信して取得する手段と、前記出力情報を取得したか否かに基づき、外部の表示装置が電源オン状態又は電源オフ状態のいずれであるかを検知する状態検知手段と、前記状態検知手段が検知した検知結果を、前記通信手段を通じて、外部の通知先へ送信する処理を行う手段とを備えることを特徴とする。
【００１５】
本発明に係る通信端末装置は、外部の表示装置へ接続することが可能な接続手段と、ネットワークを介した通信を行うことが可能な通信手段とを備える通信端末装置において、前記接続手段を通じて、外部の表示装置との接続確立を示す出力情報を外部の表示装置から取得する手段と、前記出力情報を取得したか否かに基づき、外部の表示装置が電源オン状態又は電源オフ状態のいずれであるかを検知する状態検知手段と、前記状態検知手段が検知した検知結果を、前記通信手段を通じて、外部の通知先へ送信する処理を行う手段とを備えることを特徴とする。
【００１６】
本発明に係る装置状態確認システムは、外部の表示装置と接続可能な通信端末装置と、前記通信端末装置とネットワークを介して通信を行うことが可能なサーバとを備え、前記通信端末装置からの通知により外部の表示装置の状態を前記サーバで確認できるようにしてある装置状態確認システムにおいて、前記通信端末装置は、上述したいずれか一つの通信端末装置であり、前記状態検知手段が検知した検知結果を、前記通信手段を通じて、前記サーバへ送信するようにしてあり、前記サーバは、受信した検知結果を、受信日時と対応付けて記憶するようにしてあることを特徴とする。
【００１７】
本発明に係る装置状態確認方法は、外部の表示装置の状態を受け取って、外部の受信装置の状態を確認する装置状態確認方法において、外部の表示装置から、外部の表示装置でなされた電源オン操作に伴う出力情報又は電源オフ操作に伴う出力情報の少なくともいずれかを外部の表示装置から取得するステップと、取得した出力情報に基づき、外部の表示装置の状態を検知する場合の複数の検知設定の中から、検知に用いる検知設定を特定する処理を行うステップと、特定された前記検知設定に従って、取得した出力情報に基づき外部の表示装置の状態を検知するステップとを備えることを特徴とする。
【００１８】
本発明に係るコンピュータプログラムは、外部の表示装置へ接続することが可能な接続手段と、ネットワークを介した通信を行うことが可能な通信手段とを備えるコンピュータで、外部の表示装置の状態を検知できるようにするためのコンピュータプログラムにおいて、前記コンピュータを、前記接続手段を通じて、外部の表示装置でなされた電源オン操作に伴う出力情報又は電源オフ操作に伴う出力情報の少なくともいずれかを外部の表示装置から取得する処理を行う手段と、取得した出力情報に基づき、外部の表示装置の状態を検知する場合の複数の検知設定の中から、検知に用いる検知設定を特定する処理を行う手段として機能させることを特徴とする。
【００１９】
本発明に係るコンピュータプログラムは、外部の表示装置及び外部の通知先に対して通信を行うことが可能な通信手段を備えるコンピュータで、外部の表示装置の状態を外部の通知先へ通知する処理を行うためのコンピュータプログラムにおいて、前記コンピュータを、前記通信手段を通じて、外部の表示装置との通信接続確立を示す出力情報を外部の表示装置から受信して取得する処理を行う手段と、前記出力情報を取得したか否かに基づき、外部の表示装置が電源オン状態又は電源オフ状態のいずれであるかを検知する処理を行う手段と、検知結果を、前記通信手段を通じて、外部の通知先へ送信する処理を行う手段として機能させることを特徴とする。
【００２０】
本発明に係るコンピュータプログラムは、外部の表示装置へ接続することが可能な接続手段と、ネットワークを介した通信を行うことが可能な通信手段とを備えるコンピュータで、外部の表示装置の状態を外部の通知先へ通知する処理を行うためのコンピュータプログラムにおいて、前記コンピュータを、前記接続手段を通じて、外部の表示装置との接続確立を示す出力情報を外部の表示装置から取得する処理を行う手段と、前記出力情報を取得したか否かに基づき、外部の表示装置が電源オン状態又は電源オフ状態のいずれであるかを検知する処理を行う手段と、検知結果を、前記通信手段を通じて、外部の通知先へ送信する処理を行う手段として機能させることを特徴とする。
【００２１】
本発明にあっては、表示装置に接続可能な通信端末装置を用いると共に、その通信端末装置により、外部の表示装置でなされた電源オン操作に伴う出力情報又は電源オフ操作に伴う出力情報の少なくともいずれか取得して、取得した出力情報に基づき、外部の表示装置の状態を検知する場合の複数の検知設定の中から、検知に用いる検知設定を特定するので、外部の表示装置を検知するための設定を確立でき、表示装置自体が自身の状態を検知する機能を具備しない場合でも、検知できるようになる。
【００２２】
本発明にあっては、特定した検知設定に従って通信端末装置が検知した結果を、外部の通知先へ送信するので、ユーザの使用する表示装置の状態を遠隔的に確認できるようになり、検知した装置状態を様々なサービスに利用できるようになる。
【００２３】
本発明にあっては、電源オフ操作を行ってから、所要時間後に電源オン操作を行うことをユーザに指示する旨を表示装置で表示させるので、電源オフ操作に伴う出力情報、及び電源オン操作に伴う出力情報を通信端末装置は確実に取得できるようになり、それにより検知設定を行いやすくなる。
【００２４】
本発明にあっては、表示装置の状態を示す出力メッセージが取得できない場合であれば、出力情報に基づき検知設定を行うので、表示装置の様々な出力の仕様に対して柔軟に対応して検知設定を行える。
【００２５】
本発明にあっては、表示装置の状態を示す出力メッセージが取得できる場合であれば、その出力メッセージに基づき装置状態を検知するので、容易且つ確実に装置状態を検知できるようになる。
【００２６】
表示装置から出力メッセージを取得できた場合でも、その後の表示装置の設定の変化等よって、出力メッセージが表示装置から出力されなくなる場合もあるので、本発明にあっては、メッセージ要求を表示装置へ出力すると共に、そのメッセージ要求に応じた応答メッセージが取得できるか否かで、単に表示装置が出力メッセージを出していない状態であるのか、又は設定変更により出力メッセージが出されなくなったのかを見分けることができるようになる。
【００２７】
また、本発明にあっては、外部の表示装置との通信接続確立を示す出力を利用して、外部の表示装置の状態を検知するので、出力メッセージ等で装置状態を検知できない場合等に対しても装置状態を検知できるようになり、さらに、このような検知は、表示装置との通信又は接続を通じて行うことが可能であるので、多様なインタフェース規格で装置状態の検知を行えるようになる。
【発明の効果】
【００２８】
本発明にあっては、表示装置に接続可能な通信端末装置を用いて、その通信端末装置によって、外部の表示装置の電源オン／オフ操作に伴う出力情報を取得し、取得した出力情報に基づき、外部の表示装置の状態を検知する場合の複数の検知設定の中から、検知に用いる検知設定を特定するので、外部の表示装置を検知するために必要な設定を確立でき、表示装置自体が自身の状態を検知する機能を具備しない場合でも、装置状態の検知を行うことができる。
本発明にあっては、通信端末装置が検知した結果を、外部の通知先へ送信するので、ユーザの使用する表示装置の状態を遠隔的に確認でき、装置状態の検知機能を具備しない表示装置であっても、装置状態の検知結果を利用する様々なサービスに対応できる。
【００２９】
本発明にあっては、電源オフ操作を行ってから、所要時間後に電源オン操作を行うことをユーザに指示する旨を表示装置で表示させるので、電源オフ操作に伴う出力情報、及び電源オン操作に伴う出力情報を通信端末装置は確実に取得でき、それにより検知設定の特定も確実に行える。
【００３０】
本発明にあっては、表示装置の状態を示す出力メッセージが取得できない場合であっても、出力情報に基づき検知設定を行うので、表示装置の様々な出力の仕様に対して柔軟に対応して検知設定を行える。
本発明にあっては、表示装置の状態を示す出力メッセージが取得できる場合であれば、その出力メッセージに基づき装置状態を検知するので、容易且つ確実に装置状態を検知できる。
本発明にあっては、表示装置がメッセージを出力する仕様である場合に対して、メッセージが出力されなくなっても、メッセージ要求に応じた応答メッセージの取得の有無により、単に表示装置が出力メッセージを出していない状態であるのか、又は設定変更により出力メッセージが出されなくなったのかを見分けることができる。
【００３１】
また、本発明にあっては、外部の表示装置との通信接続確立を示す出力情報を利用して、外部の表示装置の状態を検知するので、出力メッセージ等で装置状態を検知できない場合等に対しても装置状態を検知でき、さらに、このような検知は、表示装置との通信又は接続を通じて行うことを可能にして、様々なインタフェース規格に対して装置状態の検知を行うことができる。
【図面の簡単な説明】
【００３２】
【図１】本発明の第１実施形態に係る装置状態確認システムを用いた見守りサービスの概要を示す概略図である。
【図２】装置状態確認システムの主要構成を示す概略図である。
【図３】テレビジョン装置の主要な内部構成を示すブロック図である。
【図４】リモコン装置の概要を示す概略図である。
【図５】ソース切替メニュー画面の概要を示す概略図である。
【図６】（ａ）通信端末装置の外観を示す概略図であり、（ｂ）は通信端末装置の主要な内部構成を示すブロック図である。
【図７】（ａ）はホーム画面を示す概略図、（ｂ）は設定画面を示す概略図、（ｃ）はユーザ指示画面を示す概略図である。
【図８】（ａ）はオン／オフ設定完了画面を示す概略図、（ｂ）はオン／オフ設定未完了画面を示す概略図、（ｃ）はオン／オフ設定不可画面を示す概略図である。
【図９】サーバ装置の主要な内部構成を示すブロック図である。
【図１０】ユーザＤＢ（データベース）の一例を示す図表である。
【図１１】検知結果を格納した記憶テーブルの中身の一例を示す概略図である。
【図１２】第１実施形態に係る装置状態確認方法に応じた処理手順を示す第１フローチャートである。
【図１３】第１実施形態に係る装置状態確認方法に応じた処理手順を示す第２フローチャートである。
【図１４】第２実施形態に係る装置状態確認方法に応じた処理手順を示す第３フローチャートである。
【図１５】（ａ）は第２実施形態に係るホーム画面の一例を示す概略図、（ｂ）は第２実施形態に係るホーム画面の他の例を示す概略図である。
【図１６】第３実施形態に係る装置状態確認方法に応じた処理手順を示す第４フローチャートである。
【図１７】検知設定テーブルの一例を示す図表である。
【図１８】第４実施形態に係る装置状態確認方法に応じた処理手順を示す第５フローチャートである。
【図１９】第４実施形態の変形例に係る装置状態確認方法に応じた処理手順を示す第６フローチャートである。
【図２０】第５実施形態に係る装置状態確認方法に応じた処理手順を示す第７フローチャートである。
【図２１】第６実施形態に係る装置状態確認方法に応じた処理手順を示す第８フローチャートである。
【図２２】第６実施形態に係る装置状態確認方法に応じた処理手順を示す第９フローチャートである。
【図２３】第６実施形態に係る装置状態確認方法に応じた処理手順を示す第１０フローチャートである。
【図２４】第７実施形態に係る装置状態確認方法に応じた処理手順を示す第１１フローチャートである。
【図２５】第７実施形態に係る装置状態確認方法に応じた処理手順を示す第１２フローチャートである。
【図２６】第８実施形態に係る装置状態確認方法に応じた処理手順を示す第１３フローチャートである。
【図２７】第９実施形態に係る装置状態確認方法に応じた処理手順を示す第１４フローチャートである。
【図２８】第１０実施形態に係る装置状態確認方法に応じた処理手順を示す第１５フローチャートである。
【発明を実施するための形態】
【実施例１】
【００３３】
図１は、本発明の第1実施形態に係る装置状態確認システム１を、見守りサービスに利用した場合の全体的な概要を示したものである。図１に示す見守りサービスは、家屋Ｈ１に居住する人（監視対象となる見守られる人Ｍ１）に異常が発生していないかについて、見守られる人Ｍ１が使用するテレビジョン装置１０の状態を検知してサーバ装置２へ送信することにより、遠隔的に監視できるようにしたものである。
【００３４】
装置状態確認システム１は、ユーザ（見守られる人Ｍ１）により操作されるテレビジョン装置１０（外部の表示装置に該当）に通信端末装置２０を接続し、この通信端末装置２０が、テレビジョン装置１０に対してユーザが電源オン操作又は電源オフ操作を行ったことに基づくテレビジョン装置１０からの出力を取得し、取得した出力の内容からテレビジョン装置１０が電源オン状態であるか、又は電源オフ状態であるかを検知し、検知結果をサーバ装置２へ送信する。サーバ装置２は、送信されてきた検知結果を、受信日時と対応付けて記憶し、記憶した内容に基づいて見守られる人Ｍ１に異常が生じていないかを判断し、異常が生じていると判断した場合は、見守られる人Ｍ１の見守りを行う見守る人Ｋ１〜Ｋ２へ見守られる人Ｍ１の状況を確認すべき旨の指示を送信する。
【００３５】
本実施形態の通信端末装置２０は、無線（無線ＬＡＮ）でネットワークＮＷを介してサーバ装置２と通信を行うようになっており、その無線通信を行うために家屋Ｈ１内には無線通信用の無線ルータ２９を設置している。また、見守る人Ｋ１〜Ｋ３はサーバ装置２からの指示を受信できるように携帯通信端末Ａ１〜Ａ３を所持しており、これらの通信端末装置Ａ１〜Ａ３は、ネットワークＮＷに接続された中継基地局Ｔ１〜Ｔ３を介してサーバ装置２等と通信できるようになっている。なお、図１では、図示内容を簡潔に表すために、１人の見守られる人Ｍ１と複数人の見守る人Ｋ１〜Ｋ３等からなる１つの見守りグループしか示していないが、本発明に係る見守りサービスは当然、複数の見守りグループに対応し得る構成になっている。以下、図１に示す見守りサービスの主要部を構成する装置状態確認システム１について詳説していく。
【００３６】
図２は、本発明の実施形態に係る装置状態確認システム１の主要構成を示しており、サーバ装置２及び通信端末装置２０を、無線ルータ２９及びネットワークＮＷと云った通信媒体で通信可能に接続したものになっており、また、通信端末装置２０は、ユーザにより各種操作が行われるテレビジョン装置１０へ直接的に接続されている。通信端末装置２０は、テレビジョン装置１０の表示機能を利用して、自身が出力する各種画面情報（画面コンテンツ）をユーザ（見守られる人Ｍ１）に提示可能となっている。
【００３７】
ユーザが日常的に使用（操作）する対象となるテレビジョン装置１０は、筐体の前面に表示画面１０ａ及びスピーカー１０ｂを設けると共に、筐体に電源スイッチ１６ａを設けており、装置本体の操作部の他に、リモコン装置１９によってもユーザの各種操作を受け付けるようになっている。
【００３８】
図３は、テレビジョン装置１０の主要な内部構成の概要を示している。テレビジョン装置１０は、前処理部１１、表示処理部１２、赤外線処理部１３、制御部１４、メモリ１５、操作部１６、第１接続部１７ａ、第２接続部１７ｂ、第３接続部１７ｃ、無線接続部１７ｄ、有線通信部１７ｅ、無線通信部１７ｆ、表示出力処理部１８ａ、及び音声出力処理部１８ｂ等を内部接続線Ｌで接続した構成になっている。また、これらの各部１１等は、内部接続線Ｌを通じて制御部１４と信号の送受を行っており、各部１１等は現在の処理状況等を示す信号を制御部１４へ伝えると共に、制御部１４は各部１１等から伝えられた処理状況等により現在の処理状況を把握し、把握した状況に応じて次に行う処理を制御するための制御信号を各部１１等へ送っている。以下、テレビジョン装置１０の各部を説明する。
【００３９】
前処理部１１は、チューナ部、Ａ／Ｄ変換部、直交検波部、ＦＦＴ部、及び復調部を含み、アンテナで取得されたＲＦ信号（デジタル放送信号）が入力されており、この入力信号に対し所定の処理を行ってトランスポートストリーム（ＴＳ）を復調し、次の処理を行う表示処理部１２へ伝送する。表示処理部１２は、前処理部１１で復調されたトランスポートストリームに対して、デコード処理を行い、映像、音声、その他データに分離し、分離した映像ストリームに対しては映像デコード処理を行って表示出力処理部１８ａへ出力すると共に、分離した音声ストリームに対しては音声デコード処理を行って音声出力処理部１８ｂへ出力する。また、表示処理部１２は、第１接続部１７ａ、第２接続部１７ｂ、第３接続部１７ｃ、無線接続部１７ｄ、有線通信部１７ｅ、及び無線通信部１７ｆから取得したコンテンツに対しても映像（画像）、音声、その他データに分離して表示出力処理部１８ａ及び音声出力処理部１８ｂへ出力する処理を行う。なお、表示処理部１２は、上述した表示処理の対象（ソース）を、制御部１４の指示に従って適宜切り替える。
【００４０】
表示出力処理部１８ａは、画像表示に必要な所定の処理を行って画像信号を生成し、生成した画像信号を表示画面１０ａへ出力する。また、音声出力処理部１８ｂは、増幅等の音声出力に必要な所定の処理を行って音声信号を生成し、生成した音声信号をスピーカー１０ｂへ出力して、スピーカー１０ｃから各種音声を出力する。上記のような処理を経ることで、表示処理部１２の処理対象のソースがチューナ部で受信した放送信号になっていれば、表示画面１０ａには、テレビジョン放送の番組画像等が表示されることになり、処理対象のソースが第１接続部１７ａ、第２接続部１７ｂ、第３接続部１７ｃ、無線接続部１７ｄ、有線通信部１７ｅ、及び無線通信部１７ｆのいずれかで取得した外部信号になっていれば、テレビジョン装置１０の外部から取得したソースに応じた画像が表示画面１０ａに表示される。
【００４１】
また、テレビジョン装置１０におけるユーザとのインタフェース系に関する部分として、操作部１６及び赤外線処理部１３がある。操作部１６は、テレビジョン装置１０の筐体に設けられたユーザインタフェースであり、電源オン／オフの切替を行う電源スイッチ１６ａの他に、音量切替ボタン、チャンネル切替ボタン、ソース切替ボタン、上下キー、決定キー等を設けており、ユーザにより操作された内容は制御部１４へ伝えられる。赤外線処理部１３は、周知の赤外線規格（例えば、IrDA系の各規格）に応じた通信処理（信号・データの送受処理）を行うものであり、基本的には、ユーザからの操作を受け付けるリモコン装置１９から発せられる操作信号を含む赤外線を受光して、制御部１４へ伝える処理を行う。
【００４２】
図４は、上述した赤外線処理部１３に赤外線を発するリモコン装置１９を示している。リモコン装置１９は、先端側にテレビジョン装置１０の電源オン／オフの切替を行う電源スイッチ１９ａを有し、計１２個のボタンからなる数字ボタン１９ｉ、上下左右キー、決定ボタン１９ｇ、音量調整キー、チャンネル切替キー、ソース切替ボタン１９ｆ、戻るボタン、終了ボタン１９ｈ、メニューボタンに加えて、計４個のカラーボタン（青ボタン１９ｂ、赤ボタン１９ｃ、緑ボタン１９ｄ、黄ボタン１９ｅ）を有している。これらの各ボタン、スイッチでユーザからの操作を受け付けると、操作を受け付けた内容を示す赤外線がリモコン装置１９より発せられる。上述した操作部１６の電源スイッチ１６ａ又はリモコン装置の電源スイッチ１９ａのいずれかがユーザにより操作されることで、テレビジョン装置１０の電源オン操作又は電源オフ操作がなされる。
【００４３】
なお、本発明における電源オフ操作とは、テレビジョン装置１０が給電状態から、いわゆる待機状態（テレビジョン装置１０の中で、リモコン装置１９からの赤外線の受信に係る処理等を行う赤外線処理部１３及び制御部１４等のみに給電が行われて、他の箇所へは給電されていない状態）へと状態を変化させる操作を意味し、この待機状態を電源オフ状態と規定し、テレビジョン装置１０への給電が全体的に停止されている状態を完全電源オフ状態と規定する。よって、電源オフ状態（待機状態）では、制御部１４へは給電されていることから、制御部１４は制御に基づく各種処理を行うことができる。また、本発明における電源オン操作とは、テレビジョン装置１０が完全電源オフ状態又は電源オフ状態（待機状態）から装置が全体的に起動する給電状態へと状態を変化させる操作を意味する。
【００４４】
図３に戻り、テレビジョン装置１０の内部構成に関する説明を続ける。テレビジョン装置１０は、外部機器との接続用に複数の入力系統を有し、これらの入力系統として、第１接続部１７ａ、第２接続部１７ｂ、第３接続部１７ｃ、無線接続部１７ｄ、有線通信部１７ｅ、及び無線通信部１７ｆを具備する。
【００４５】
第１接続部１７ａは映像・音声・制御信号等をデジタル信号で伝送する通信インタフェースの標準規格であるＨＤＭＩ（High-Definition Multimedia Interface  高精度マルチメディアインターフェイス）規格に応じた仕様の接続端子を有し、本実施形態の通信端末装置２０が直接的に接続可能となっている。第２接続部１７ｂは、様々な周辺機器をシリアル接続するためのシリアルバス規格の1つであるＵＳＢ（Universal Serial Bus  ユニバーサル・シリアル・バス）規格に応じた仕様の接続端子を有する。第３接続部１７ｃは、ＩＥＥＥ１３９４系の規格に応じた接続端子を有し、この第３接続部１７ｃにはi.LINK（登録商標）、ＤＶ端子等が該当する。
【００４６】
無線接続部１７ｄは無線で様々な周辺機器と接続を行うものであり、本実施形態ではブルートゥース（Bluetooth（登録商標））規格に応じたものを用いている。有線通信部１７ｅはネットワークを介して有線通信を行うものであり、本実施形態ではイーサネット（登録商標）に応じた有線ＬＡＮ用の接続端子を有したものになっている。無線通信部１７ｆは無線通信用の通信部であり、本実施形態ではＩＥＥＥ８０２．１１系の規格（無線ＬＡＮ）に応じた無線通信を行うものになっている。
【００４７】
一方、制御部１４は、テレビジョン装置１０が具備する各種機能を実行する際に中心的な役割を担うものであり、メモリ１５に記憶された基本プログラムＰ１に規定される様々な処理内容に基づき、各種処理（テレビ放送受信処理、ＯＳＤ表示処理、出力処理、通信処理等）を行う。また、メモリ１５は、上述した基本プログラムＰ１の他に、ＯＳＤ表示テーブルＴ１等を記憶している。ＯＳＤ表示テーブルＴ１は、ＯＳＤ表示するメニュー画面等に応じた表示画面データを各種格納したものである。
【００４８】
図５は、ＯＳＤ表示テーブルＴ１に格納される複数の表示画面データの中で一つに応じたソース切替メニュー画面３１をテレビジョン装置１０の表示画面１０ａに表示した状態を示している。このソース切替メニュー画面３１は、表示画面１０ａに表示すべきソースをユーザが選択できるようにするためのメニュー画面であり、リモコン装置１９のソース切替ボタン１９ｆが押される操作がなされることで、制御部１４の制御により、ＯＳＤ表示テーブルＴ１から読み出されて、表示画面１０ａへ出力されたものである。ソース切替メニュー画面３１は、複数の第１選択欄３１ａ〜第７選択欄３１ｇを有すると共に、それらの各選択欄３１ａ〜３１ｇのいずれか一つを選択できるようにカーソル３２を有する。カーソル３２は、操作部１６又はリモコン装置１９の上下キーの操作で移動可能になっており、決定キーを押す操作を行うことで、カーソル３２の位置する選択欄が選択される。
【００４９】
なお、第１選択欄３１ａは前処理部１１のチューナ部で受信されたテレビジョン放送を選択するためのものであり、以下、第２選択欄３１ｂは、第１接続部１７ａ（ＨＤＭＩ）からの入力選択用であり、第３選択欄３１ｃは、第２接続部１７ｂ（ＵＳＢ）からの入力選択用であり、第４選択欄３１ｄは、第３接続部１７ｃ（ＩＥＥＥ１３９４）からの入力選択用であり、第５選択欄３１ｅは、無線接続部１７ｄ（ブルートゥース（登録商標））からの入力選択用であり、第６選択欄３１ｆは、有線通信部１７ｅ（有線ＬＡＮ）からの入力選択用であり、第７選択欄３１ｇは、無線通信部１７ｆ（無線ＬＡＮ）からの入力選択用になっている。
【００５０】
また、メモリ１５に記憶される基本プログラムＰ１は、テレビジョン装置１０のファームウェア及びシステムプログラム等に相当するものであり、テレビジョン装置１０がテレビジョン装置としての各種機能（テレビジョンを視聴するための各種機能、通信機能等）を働かせるために必要な制御部１４の各種処理を規定したものであり、制御部１４は基本プログラムＰ１の規定に従い、ユーザの操作内容又は自動により各種制御に応じた処理を行う。特に、基本プログラムＰ１は、操作部１６又はリモコン装置１９に対してユーザにより何らかの操作が行われると、ユーザ操作があった旨を、第１接続部１７ａ等を介して、出力する旨を制御部１４が制御することを規定しているが、このように出力する内容は、テレビジョン装置１０の製造メーカ、型番、機種、設定等により異なったものとなる。
【００５１】
例えば、テレビジョン装置１０がＨＤＭＩ−ＣＥＣという制御信号を伝送する仕様であり、その設定が有効になっている場合、ＨＤＭＩに応じた第１接続部１７ａからは、第１接続部１７ａに何らかの機器が接続されると、テレビジョン装置１０を識別する装置識別情報（例えば、製造メーカ、型番（機種）等を示すＤｅｖｉｃｅ  Ｖｅｎｄｅｒ  ＩＤ）を示すＨＤＭＩ−ＣＥＣメッセージの出力が行われる。
【００５２】
また、ユーザがテレビ装置の電源オン操作を行うと、電源オン操作が行われた旨のＨＤＭＩ−ＣＥＣメッセージ（Give Physical Address?という情報のメッセージ）の出力が行われる。さらに、ユーザが、上述した図５に示すソース切替メニュー画面３１を表示してソース切替操作（入力系の切替操作に相当）を行った場合も、ソース切替操作が行われた旨のＨＤＭＩ−ＣＥＣメッセージの出力が行われる。さらにまた、電源オフ操作が行われてテレビジョン装置１０が電源オフ状態（待機状態）となった場合、第１接続部１７ａからは電源オフ状態であることを示すＳｔａｎｄ  ｂｙメッセージの出力が行われる。
【００５３】
さらに、第１接続部１７ａにおいて、ＨＤＭＩ規格に応じたテレビジョン装置１０の状態を問い合わせるためのメッセージ（例えば、Ｇｅｔ  Ｄｅｖｉｃｅ  Ｐｏｗｅｒ  Ｓｔａｔｕｓメッセージ）を受け取った場合、その時のテレビジョン装置１０の電源状態を示すメッセージ（電源オン状態又は電源オフ状態を示すＨＤＭＩ−ＣＥＤメッセージ）の出力を、テレビジョン装置１０は行う。
【００５４】
なお、上述した各種メッセージは、テレビジョン装置１０がＨＤＭＩ−ＣＥＣの仕様に対応していない場合、又は対応していても、ＨＤＭＩ−ＣＥＣの設定が無効になっている場合は出力されない。そのため、ＨＤＭＩ−ＣＥＣの仕様に対応しているテレビジョン装置１０であっても、ＨＤＭＩ−ＣＥＣの設定が有効の状態から無効の状態に変更されると、無効への変更後は各種メッセージが出力されなくなる。また、テレビジョン装置１０の機種によっては、ＨＤＭＩ−ＣＥＣの設定が有効であっても、メッセージの出力を行わないように設定することも可能になっている。
【００５５】
さらに、第１接続部１７ａからは、テレビジョン装置１０の機種によっては、上述したメッセージ以外に、ユーザの電源オン操作に伴う情報、又は電源オフ操作に伴う情報の出力がなされる機種もある。
【００５６】
例えば、あるテレビジョン装置１０の機種では、ユーザにより電源オン操作がなされると、第１接続部１７から出力される情報に含まれるＨＰＤ情報（Ｈｏｔ  Ｐｌｕｇ  Ｄｅｔｅｃｔ情報）の中身が「０」から「−１」に変化する。このように出力する中身が変化する場合で、中身が「−１」に変化したＨＰＤ情報が、ユーザの電源オン操作に伴う出力情報に該当することになる。また、ユーザにより電源オフ操作がなされると、ＨＰＤ情報の中身が「−１」から「０」に変化する機種も存在し、このように変化する場合では、中身が「０」に変化したＨＰＤ情報が、ユーザの電源オフ操作に伴う出力情報に該当することになる。
【００５７】
さらに、第１接続部１７ａを通じて、著作権保護技術の一つであるＨＤＣＰ（High-bandwidth Digital Content Protection system）の暗号関連情報を、第１接続部１７ａに接続された機器と交換するテレビジョン装置１０も存在する。この暗号関連情報の交換においては、まず、テレビジョン装置１０において、ユーザにより電源オン操作がなされると、ＨＤＣＰ暗号化を開始するための問い合わせを行う出力情報（電源オン操作に伴う出力情報であり、外部の表示装置との接続確立を示す出力情報に相当）が、テレビジョン装置１０から、第１接続部１７ａの接続機器へ送られ、この出力情報を受け取った第１接続部１７ａの接続機器が、ＨＤＣＰ暗号化の開始の応答に必要な情報をテレビジョン装置１０へ返してＨＤＣＰ暗号化を開始できると判断する（Start encの状況）。このようにテレビジョン装置１０からのＨＤＣＰ暗号化を開始するための問い合わせを行う出力情報に基づき、第１接続部１７ａの接続機器において、テレビジョン装置１０の電源オン状態の検知が可能となる。また、テレビジョン装置１０において、ユーザにより電源オフ操作がなされると、テレビジョン装置１０からのＨＤＣＰ暗号化に関する出力情報（外部の表示装置との接続確立を示す出力情報に相当）が途絶えることになり（ＨＤＣＰ暗号に用いられる暗号鍵が不整合となるKey NGの場合）、第１接続部１７ａの接続機器により、ＨＤＣＰ暗号化に関する出力情報を取得できなくなるという状況に基づいて、テレビジョン装置１０の電源オフ状態の検知が可能となる。
【００５８】
一方、図６（ａ）は、上述したテレビジョン装置１０の第１接続部１７ａ（ＨＤＭＩ）への接続端子に接続可能な通信端末装置２０の外観を示している。本実施形態で用いられる通信端末装置２０は一般に、スマートスティック（スマートボックス）、スティックコンピュータ、スマートコンピュータ等と称されるタイプのものであり、ディスプレイ部（表示部）を具備しておらず、外部の表示装置（本実施形態ではテレビジョン装置１０）に接続して使用するようになっている。
【００５９】
通信端末装置２０は、スティック状の筐体２６を有し、その筐体２８における長手方向の一端部２８ａに、ＨＤＭＩ規格に応じた外部装置接続部２２（接続手段に相当）の接続端子を突出し、他端部２８ｂには、ＵＳＢ規格に応じた外部インタフェース接続部２４のメス型端子を設けている。さらに、通信端末装置２０は筐体２８の内部に無線ＬＡＮに応じた無線通信部２３（通信手段に相当）及び無線接続部２５を配置している。
【００６０】
図６（ｂ）は、通信端末装置２０の主要な内部構成を示している。通信端末装置２０は、一種のコンピュータ的な内部構造になっており、様々なアプリケーションプログラムをインストールすることにより、所望の処理を実行可能にしており、本実施形態では接続先の表示装置（本実施形態ではテレビジョン装置１０）の電源オン状態又は電源オフ状態等を検知する検知プログラムＰ２をインストールして、サーバ装置２が提供する見守りサービスに必要な情報をサーバ装置２へ通知できるようにしている。
【００６１】
通信端末装置２０は、ＣＰＵ２１、外部装置接続部２２、無線通信部２３、外部インタフェース接続部２４、無線接続部２５、メモリ２６（記憶手段）等を内部接続線２０ａで接続した構成になっている。ＣＰＵ２１は装置全体の各種制御処理を行うものであり、メモリ２６にインストールされた各種プログラムの規定に従って様々な処理を実行する。外部装置接続部２２は接続手段に相当し、上述したように、テレビジョン装置１０の第１接続部１７ａと直接接続が可能なＨＤＭＩ規格に準じた接続端子部である。無線通信部２３（通信手段に相当）は、無線通信を行うインタフェースであり、本実施形態の通信部１３はＩＥＥＥ８０２．１１系の規格（ＩＥＥＥ８０２．１１ｂ／ｇ、ａ等）に準じた無線ＬＡＮ通信を行う。なお、本実施形態では、図１、２に示すように家屋Ｈ１に無線ＬＡＮルータ２９を設置しており、無線通信部２３は、この無線ＬＡＮルータ２９を介してネットワークＮＷと接続できるようにしている。
【００６２】
外部接続インタフェース接続部２４は接続手段に相当し、マウス、キーボード等のユーザインタフェース、又は外部記憶媒体等を接続できるようになっており、本実施形態ではＵＳＢ（Universal Serial Bus  ユニバーサル・シリアル・バス）規格に応じたものを採用している。無線接続部２５も接続手段に相当し、無線で通信を行う接続部であり、本実施形態ではブルートゥース（登録商標）の規格に応じたものを用いている。
【００６３】
メモリ２６は、各種プログラム、情報等を記憶するものであり、本実施形態では、システムプログラムＰ１、検知プログラムＰ２、表示画面テーブルＴ２、装置識別情報Ｄ１、サーバ情報Ｄ２、通信設定情報Ｄ３、ユーザ情報Ｄ４等を記憶している。システムプログラムＰ１はＯＳ（オペレーション・システム）に相当する基本プログラムであり、検知プログラムＰ２は、外部装置接続部２２の接続先となる表示装置の状態検知に関した各種処理を規定したアプリケーションプログラムであり、この検知プログラムＰ２の規定内容によりＣＰＵ２１が各種手段として機能するようになっており、プログラム内容の詳細は後述する。
【００６４】
メモリ２６に記憶される表示画面テーブルＴ２とは、外部の表示装置（例えば、テレビジョン装置１０）で表示させる画面コンテンツに応じた画面情報を格納したものであり、画面情報は、通信端末装置２０の外部装置接続部２２からテレビジョン装置１０へ出力される。画面コンテンツの具体例としては、図７（ａ）のホーム画面３４、図７（ｂ）の設定画面、図７（ｃ）のユーザ指示画面３６、図８（ａ）のオン／オフ設定完了画面３７、図８（ｂ）のオン／オフ設定未完了画面３８、図８（ｃ）のオン／オフ設定不可画面３９等がある。
【００６５】
図７（ａ）は、表示画面テーブルＴ２に格納される画面情報の中でホーム画面３４に応じたものがテレビジョン装置１０の表示画面１０ａに表示された場合を示している。このホーム画面３４は、通信端末装置２０が提供できる各種機能を選択するための第１選択欄３４ａ、各種設定を行うための第２選択欄３４ｂを有している。なお、このようなホーム画面３４の表示は、通信端末装置２０がテレビジョン装置１０へ接続されると、ＣＰＵ２１の制御により、メモリ２６からホーム画面３４に応じた画面情報が読み出されて、外部装置接続部２２を通じてテレビジョン装置１０へ出力されると共に、テレビジョン装置１０においては、ソース切替で入力１（ＨＤＭＩ）が選択された状態になることで（図５参照）、表示画面１０ａに表示される（他の画面も、メモリ２６からそれぞれの画面に応じた画面情報がメモリ２６から読み出されて表示されることになる）。また、ホーム画面３４は、他の画面からホーム画面へ戻る操作がユーザにより行われることでも表示される。
【００６６】
図７（ｂ）は設定画面３５が表示画面１０ａに表示された場合を示しており、この設定画面３５は、上記のホーム画面３４において第２選択欄３４ｂがユーザにより選択された場合に、メモリ２６の表示画面テーブルＴ２から設定画面３５に応じた画面情報が読み出されて表示されるものである。設定画面３５は、通信端末装置２０全般の環境設定を行うたの第１選択欄３５ａ、通信に係る各種設定を行うための第２選択欄３５ｂ、及び検知プログラムＰ２の処理に基づくテレビジョン装置１０の電源オン／オフ状態の検知に係る検知設定を特定するための第３選択欄３５ｃを有している。さらに、設定画面３５は、上述したホーム画面へ戻るためのユーザ操作を受け付ける第４選択欄３５ｄも有している。これらの各選択欄３５ａ〜３５ｄも上記のホーム画面３４の各選択欄３４ａ、３４ｂと同様に、ユーザによって選択可能となり、選択された欄に応じて画面内容が適宜に切り替わることになる。
【００６７】
図７（ｃ）は、ユーザ指示画面３６が表示画面１０ａに表示された場合を示しており、このユーザ指示画面３６は、上記の設定画面３５において第３選択欄３５ｃがユーザにより選択された場合に、メモリ２６の表示画面テーブルＴ２からユーザ指示画面３６に応じた画面情報（ユーザ指示画面情報）が読み出されて表示されるものである。ユーザ指示画面３６は、テレビジョン装置に対して電源オフ操作を行うと共に、所定時間後（本実施形態では１０秒後）に電源オン操作を行う旨のユーザ指示の画面コンテンツ３６ａを含んだものになっている。なお、図７（ｃ）に示すユーザ指示画面３６においては、所定時間の数値として１０秒を用いているが、この所定時間は１０秒という時間に限定されるものではなく、ユーザが電源オフ操作を行って、次に、電源オン操作を行うにあたり、それぞれの操作が明確に区切られる時間であれば、特に数値は限定されず、通常の場合、５秒以上の数値を用いることができる。
【００６８】
図８（ａ）は、オン／オフ設定完了画面３７が表示画面１０ａに表示された場合を示しており、このオン／オフ設定完了画面３７は、上記のユーザ指示画面３６の表示により、テレビジョン装置１０の電源オン／オフ操作に応じた検知設定を特定して検知設定が完了した場合に、自動的にメモリ２６の表示画面テーブルＴ２からオン／オフ設定完了画面３７に応じた画面情報が読み出されて表示されるものである。なお、オン／オフ設定完了画面３７は、図７（ａ）のホーム画面３４の表示へ戻るための第１選択欄３７ａ、及び図７（ｂ）の設定画面３５の表示へ戻るための第２選択欄３７ｂを有している。
【００６９】
図８（ｂ）は、オン／オフ設定未完了画面３８が表示画面１０ａに表示された場合を示しており、このオン／オフ設定未完了画面３８は、上記のユーザ指示画面３６を表示して、テレビジョン装置１０の電源オン／オフ操作が行われても、検知設定が完了しなかった場合に、自動的にメモリ２６の表示画面テーブルＴ２からオン／オフ設定未完了画面３７に応じた画面情報が読み出されて表示されるものである。なお、このオン／オフ設定未完了画面３８は、再度、電源オフ操作を行うと共に、所定時間後に電源オン操作を行う旨のユーザ指示に応じた画面コンテンツ３８ａを含んでいる。
【００７０】
図８（ｃ）は、オン／オフ設定不可画面３９が表示画面１０ａに表示された場合を示しており、このオン／オフ設定不可画面３９は、上記のユーザ指示画面３６の表示によって、テレビジョン装置１０の電源オン／オフ操作が行われても、最終的に電源オン／オフの状態を検知設定が特定できなかった場合に、自動的にメモリ２６の表示画面テーブルＴ２からオン／オフ設定不可画面３９に応じた画面情報が読み出されて表示されるものである。なお、オン／オフ設定不可画面３９も、図７（ａ）のホーム画面３４の表示へ戻るための第１選択欄３９ａ、及び図７（ｂ）の設定画面３５の表示へ戻るための第２選択欄３９ｂを有している。
【００７１】
また、メモリ２６に記憶される装置識別情報Ｄ１は、通信端末装置２０の識別コードを示す情報であり、通信を行う際、他の通信装置等と識別するために使用される情報となっている。メモリに記憶されるサーバ情報Ｄ２は、通信端末装置２０がサーバ装置２と通信を行うのに必要な情報（サーバ装置２のネットワーク上のアドレス等）を含んでいる。通信設定情報Ｄ３は、通信端末装置２０がネットワークＮＷを介してインターネットにアクセスするために必要な情報（通信端末装置２０が使用するインターネットサービスプロバイダのＩＤ、そのインターネットサービスプロバイダのサーバへアクセスするためのアドレス等）を含んでいる。
【００７２】
メモリ２６に記憶されているユーザ情報Ｄ４とは、見守りサービスに登録しているユーザ（見守られる人Ｍ１）の情報であり、その中身としては、ユーザの氏名、ニックネーム、ユーザを識別するための識別番号（ユーザＩＤ）等がある。このような中身のユーザ情報Ｄ４は、見守りサービスを使用するためのユーザ登録の際、所定のフォーマットに従ってユーザ自身が入力した必要事項（氏名、ニックネーム、住所、年齢、性別、見守る人の連絡先、パスワード等）がサーバ装置２へ一旦送られ、ユーザ登録が完了すると、ユーザ自身が入力した必要事項のいくつかを含む情報がユーザ情報Ｄ４として、サーバ装置２から通信端末装置２０へ送信され、その送信されてきたユーザ情報Ｄ４がメモリ２６に記憶されることになる。
【００７３】
次に、検知プログラムＰ２の詳細について説明する。メモリ２６に記憶される検知プログラムＰ２は、サーバ装置２が提供する見守りサービスを行う上で、その判断材料となる
テレビジョン装置１０の電源オン状態又は電源オフ状態の検知結果を得るためのＣＰＵ２１用の処理を規定したアプリケーションプログラムであり、通信端末装置２０のメモリ２６にアプリとして適宜インストールされる（なお、通信端末装置２０の製造時に、メモリ２６へ予めインストールしておくことも勿論可能である）。
【００７４】
検知プログラムＰ２の処理内容は、主に２つに大別でき、一つめは接続先となるテレビジョン装置１０が電源オン状態又は電源オフ状態を検知するための検知設定を特定する検知設定の特定段階の内容であり、二つめは、特定した検知設定に従って、テレビジョン装置１０からの出力に基づき装置状態を検知し、検知した結果をサーバ装置２へ送信するという実際の検知処理の段階の内容である。
【００７５】
検知プログラムＰ２が規定する検知設定の特定段階の処理内容として、先ず、図７（ｂ）の設定画面３５を表示している段階で、オン／オフ検知設定に応じた第３選択欄３５ｃが選択されると、図７（ｃ）のユーザ指示画面３６をテレビジョン装置１０で表示させるために、ユーザ指示画面３６に応じた画面情報をメモリ２６の表示画面テーブルＴ２から読み出して、外部装置接続部２２から出力する制御処理をＣＰＵ２１が行うことを規定する。
【００７６】
なお、ユーザ指示画面３６をテレビジョン装置１０で表示することにより、先ず、ユーザは電源オフ操作を行うことから、テレビジョン装置１０の第１接続部１７ａからは、電源オフ操作に伴う情報が出力されることになり、次に、所定時間後（例えば約１０秒後）、ユーザは電源オン操作を行うことから、テレビジョン装置１０の第１接続部１７ａからは、電源オン操作に伴う情報が出力されることになる。検知プログラムＰ２は、このようなテレビジョン装置１０からの出力情報を、操作時期に応じて適宜、外部装置接続部２２で取得し、メモリ２６に一時的に記憶する制御処理をＣＰＵ２１が行うことを規定する。
【００７７】
次に、検知プログラムＰ２は、外部の表示装置（テレビジョン装置１０）の状態を検知する場合の複数の検知設定の中から、検知に用いる検知設定を、取得して記憶する各出力情報に基づきＣＰＵ２１が特定する処理を行うことを規定している（ＣＰＵ２１は検知設定特定手段として機能する）。テレビジョン装置１０の状態を検知する場合の複数の検知設定としては、上述したテレビジョン装置１０の出力情報のＨＰＤ情報に基づくもの、及び出力情報の中のＨＤＣＰ情報（暗号関連情報）に基づくものがある。ＨＰＤ情報に基づく検知決定としては、ＨＰＤ情報の中身の変化に基づきテレビジョン装置１０の電源オン／オフ状態を検知する設定であり、ＨＤＣＰ情報（暗号関連情報）に基づく検知設定としては、ＨＤＣＰ情報（暗号関連情報）の取得に有無に基づき、ＨＤＣＰ暗号化を開始できるようになったか否を判断し、テレビジョン装置１０の電源オン／オフ状態を検知する設定である。
【００７８】
検知設定の特定に関する検知プログラムＰ２の具体的な内容として、取得した出力情報の中に含まれるＨＰＤ情報の中身が「−１」から「０」に変化したかを検知する処理をＣＰＵ２１が行うことを規定する。この処理でＨＰＤ情報の中身が「−１」から「０」に変化したことを検知できた場合、ＣＰＵ２１は、外部装置接続部２２の接続先のテレビジョン装置１０はユーザの電源オフ操作により電源オフ状態になったことを検知できると判断する。一方、電源オフ操作がなされたにもかかわらず、ＨＰＤ情報の中身が「−１」から「０」に変化したことを検知できなかった場合、ＣＰＵ２１は、ＨＰＤ情報により、外部装置接続部２２の接続先のテレビジョン装置１０の電源オフ状態を検知できないと判断する。
【００７９】
また、検知プログラムＰ２は、ＨＤＣＰ情報（暗号関連情報）によっても、電源オフ状態を判断する旨を規定しており、ＨＤＣＰ暗号化に関して取得していた出力情報が途絶えて、取得できなくなると、ＨＤＣＰ暗号に用いられる暗号鍵が不整合になったと判断でき（Key NGと判断した場合）、このようにＨＤＣＰ暗号化に関する出力情報を取得できなくなったか否かをＣＰＵ２１が検知することを規定する。この検知処理でＨＤＣＰ暗号化に関する出力情報を取得できなくなったことが検知できた場合（Key NGの場合）、ＣＰＵ２１は、外部装置接続部２２の接続先のテレビジョン装置１０はユーザの電源オフ操作により電源オフ状態になったことを検知できると判断する。一方、電源オフ操作がなされたにもかかわらず、ＨＤＣＰ暗号に用いられる暗号鍵が不整合となったことが検知できなかった場合、ＣＰＵ２１は、ＨＤＣＰ情報（暗号関連情報）により、外部装置接続部２２の接続先のテレビジョン装置１０の電源オフ状態を検知できないと判断する。
【００８０】
さらに、検知プログラムＰ２は、取得した出力情報に対して、出力情報の中に含まれるＨＰＤ情報の中身が「０」から「−１」に変化したかを検知する処理をＣＰＵ２１が行うことを規定する。この処理でＨＰＤ情報の中身が「０」から「−１」に変化したことを検知できた場合、ＣＰＵ２１は、外部装置接続部２２の接続先のテレビジョン装置１０はユーザの電源オン操作により電源オン状態になったことを検知できると判断する。一方、電源オン操作がなされたにもかかわらず、ＨＰＤ情報の中身が「０」から「−１」に変化したことを検知できなかった場合、ＣＰＵ２１は、ＨＰＤ情報により、外部装置接続部２２の接続先のテレビジョン装置１０の電源オン状態を検知できないと判断する。
【００８１】
さらにまた、検知プログラムＰ２は、ＨＤＣＰ情報（暗号関連情報）により、ＨＤＣＰ暗号化を開始できるようになったか否か（Start encになったか否か）をＣＰＵ２１が検知することを規定する。この検知処理で、ＨＤＣＰ暗号化を開始するための問い合わせを行う出力情報（外部の表示装置との接続確立を示す出力情報）を取得することを検知した場合、ＨＤＣＰ暗号化の処理開始と判断し、応答を返してＨＤＣＰ暗号化を開始する処理できるようになり（Start encの状態）、この場合、ＣＰＵ２１は、外部装置接続部２２の接続先のテレビジョン装置１０はユーザの電源オン操作により電源オン状態になったことを検知できると判断する。一方、電源オン操作がなされたにもかかわらず、ＨＤＣＰ暗号化を開始できるようになったことが検知できなかった場合、ＣＰＵ２１は、ＨＤＣＰ情報（暗号関連情報）により、外部装置接続部２２の接続先のテレビジョン装置１０の電源オン状態を検知できないと判断する。
【００８２】
上記のような各処理で、電源オン状態及び電源オフ状態の両方を検知できないと判断された場合、メモリ２６に処理回数フラグを立てて、図８（ｂ）のオン／オフ設定未完了画面３８がテレビジョン装置１０で表示されるように、オン／オフ設定未完了画面３８に応じた画面情報をメモリ２６の表示画面テーブルＴ２から読み出して、外部装置接続部２２から出力する制御処理をＣＰＵ２１が行うことを検知プログラムＰ２は規定する。また、オン／オフ設定未完了画面３８を表示させることで、テレビジョン装置１０の第１接続部１７ａからは、電源オフ操作に伴う情報及び電源オン操作に伴う情報が出力されることになるので、検知プログラムＰ２は、上述した各処理を再度行うことを規定する。
【００８３】
そして、再度の処理を行っても、電源オン状態及び電源オフ状態の両方を検知できないと判断された場合、図８（ｃ）のオン／オフ設定不可画面３９がテレビジョン装置１０で表示されるように、オン／オフ設定不可画面３９に応じた画面情報をメモリ２６の表示画面テーブルＴ２から読み出して、外部装置接続部２２から出力する制御処理をＣＰＵ２１が行うことを検知プログラムＰ２は規定する。このように電源オン状態及び電源オフ状態の両方を検知できないと判断された場合は、外部装置接続部２２の接続先のテレビジョン装置１０は電源オン状態及び電源オフ状態を検知できない機種であることから、装置状態の検知に係る以降の処理を行わないことを、検知プログラムＰ２は規定する。
【００８４】
一方、上述した各処理を経て、電源オン状態及び電源オフ状態の両方を検知できると判断された場合、検知設定を特定できて設定完了となり、図８（ａ）のオン／オフ設定完了画面３７がテレビジョン装置１０で表示されるように、オン／オフ設定完了画面３７に応じた画面情報をメモリ２６の表示画面テーブルＴ２から読み出して、外部装置接続部２２から出力する制御処理をＣＰＵ２１が行うことを検知プログラムＰ２は規定する。
【００８５】
そして、特定した検知設定の内容を、検知処理用の検知設定情報としてメモリ２６に記憶し、以降、テレビジョン装置１０からの出力情報を外部装置接続部２２を介して取得すると、記憶する検知設定の内容に従って、取得した出力情報に基づき実際に装置状態を随時検知し、検知した結果をサーバ装置２へ無線通信部２３を通じて送信するという処理をＣＰＵ２１が行うことを検知プログラムＰ２は規定する。なお、検知結果をサーバ装置２へ送信する際には、メモリ２６に記憶している装置識別情報Ｄ１及びユーザ情報Ｄ４の中のユーザＩＤを一緒に送信して、サーバ装置２が検知結果の送信元を特定できるようにしている。
【００８６】
図９は、見守りサービスを提供するサーバ装置２の主要な内部構成を示し、サーバ装置２は、通信端末装置２０からの検知結果の通知により、外部の表示装置（テレビジョン装置１０）の状態を遠隔的に確認できるようになっている。本実施形態のサーバ装置２には一般的なサーバコンピュータを適用しており、全体的な制御及び各種処理を行うＭＰＵ２ａに、各種デバイス等を内部接続線２ｈで接続したものになっており、各種デバイス等には、通信モジュール２ｂ、ＲＡＭ２ｃ、ＲＯＭ２ｄ、入力インタフェース２ｅ、出力インタフェース２ｆ、大容量記憶システム（ＨＤＤシステム）２ｇ等がある。
【００８７】
通信モジュール２ｂは、ネットワークＮＷとの接続モジュールに相当する通信デバイスであり、所要の通信規格に応じたものである（例えばＬＡＮモジュール）。通信モジュール２ｂは、所要の通信機器（図示は省略。例えばルータ等が該当）を介してネットワークＮＷと接続されており、上述した通信端末装置２０、見守る人Ｋ１〜Ｋ３等が使用する携帯通信端末Ａ１〜Ａ３等との通院を可能にしている。
【００８８】
ＲＡＭ２ｃは、ＭＰＵ２ａの処理に伴う内容、ファイル等を一時的に記憶するものであり、ＲＯＭ２ｄは、ＭＰＵ２ａの基本的な処理内容を規定したプログラム等を記憶するものである。入力インタフェース２ｅは、見守りサービスのオペレータからの操作指示等を受け付けるキーボード２ｉ、マウス等が接続されるものであり、オペレータから受け付けた操作指示等をＭＰＵ２ａへ伝える。出力インタフェース２ｆは、ディスプレイ２ｊ（表示出力装置）が接続されるものであり、ＭＰＵ２ａの処理に伴う内容をディスプレイ２ｊへ出力し、オペレータが現在の処理内容等を確認できるようにしている。
【００８９】
大容量記憶システム２ｇ（記憶デバイスに相当）は、見守りサービスを提供するに当たり必要なデータを含む各種データベース（ＤＢ）及びプログラム等を記憶するものであり、具体的には、サーバプログラム３、状態確認プログラム４、見守りプログラム５、ユーザＤＢ６、検知結果テーブル７等を記憶する。
【００９０】
サーバプログラム３は、サーバ用のオペレーションシステムに応じた各種処理を規定したものであり、この規定内容に基づいた処理をＭＰＵ２ａが行うことで、サーバ装置２はサーバコンピュータとしての基本的な機能を果たす。状態確認プログラム４及び見守りプログラム５の説明は後述し、先に、ユーザＤＢ６等の説明を行う。
【００９１】
図１０は、ユーザＤＢ６の中身の概要を示している。ユーザＤＢ６は、見守りサービスを利用する人を、見守られる人（ユーザ）及びその見守られる人を見守る人を一つのグループとして登録したものであり、一つのグループを識別する見守られる人（ユーザ）のユーザＩＤごとに、見守られる人の氏名、見守られる人が操作するテレビジョン装置１０に接続された通信端末装置２０の装置ＩＤ（装置識別情報）・通信アドレス（サーバ装置２から通信端末装置２０へ信号・情報等を送信する送信先となる）、見守られる人の住所・電話番号・メールアドレス、見守る人の氏名・電話番号・メールアドレス（予め登録された見守り連絡先に相当）等を対応づけて格納している。
【００９２】
サーバ装置２は、このようなユーザＤＢ６を参照することで、通知等が必要な人に電子メールで所要の通知を行えるようにしている。なお、ユーザＤＢ５ａの上述した情報は、準備段階で見守りサービスの提供を受けるユーザ（見守られる人及び見守る人）から提出されたものであり、これら提出された情報が予めユーザＤＢ５に登録されることで、ユーザは見守りサービスを享受できるようになる。
【００９３】
次に、状態確認プログラム４を説明すると、通信端末装置２０から送信されてくる検知結果を通信モジュール２ｂで受信すると、その検知結果に付随するユーザＩＤ及び装置識別情報Ｄ１ごとに、受信した検知結果を受信日時と共に記憶する処理をＭＰＵ２ａが行うことを規定したものであり、記憶先は、大容量記憶システム２ｇに記憶されている検知結果テーブル７になっている。
【００９４】
図１１は、検知結果テーブル７の中の一部を示したものである。検知結果テーブル７は、ユーザＩＤ及び装置識別情報Ｄ１ごとに検知結果を格納するテーブル構造となっており、図１１は、あるユーザＩＤ及び装置識別情報Ｄ１に対応づけて格納された検知結果を示し、検知結果は、受信日時と共に格納されている。
【００９５】
また、見守りプログラム５は、上述した検知結果テーブル７に格納された内容に基づき、テレビジョン装置１０のユーザである見守られる人Ｍ１に異常が発生したか否かをＭＰＵ２ａが判断する処理を規定したものである。本実施形態の見守りプログラム５は、「電源がオンされない状態」、及び「長時間電源がオフされない状態」である場合、見守られる人Ｍ１に異常が発生したと判断するようになっている。
【００９６】
「電源がオンされない状態」に対しては、前回の電源オフ状態となってから、所定時間（例えば、２４時間）経過しても、電源オン状態にならなければ、異常発生と判断するようにしている。また、「長時間電源がオフされない状態」に対しても、電源オン状態となってから、所定時間（例えば、１５時間）経過しても、電源オフ状態にならなければ、異常発生と判断するようにしている。なお、上述したような異常発生の判断条件は、あくまで一例であり、他の判断条件を用いることも勿論可能であり、例えば、「電源がオンされない状態」に対しては、電源がオンされる平均時刻から、所定時間（例えば、３時間）経過しても電源がオンされなければ、異常発生と判断してもよく、「長時間電源がオフされない状態」に対しても、電源がオフされる平均時刻から、所定時間（例えば、３時間）経過しても電源がオンされなければ、異常発生と判断してもよい。
【００９７】
上述したように異常発生と判断された場合、図１０に示すユーザＤＢ６を参照して、異常発生と判断されたユーザ（ユーザＩＤ）に対応付けられた見守る人へ電子メールで異常発生の旨を通知する処理をＭＰＵ２ａが行うことも見守りプログラム５は規定している。なお、実サービス的な内容として、毎日、最初の電源オン状態となったときに合わせて、「テレビの電源が入りました」という旨の電子メールを見守る人へ通知する処理をＭＰＵ２ａが行うことも見守りプログラム５は規定している。
【００９８】
図１２に示す第１フローチャートは、上述した装置状態確認システム１の中で中心的な役割を担う通信端末装置２０の検知設定の特定段階における一連の処理の流れ（状態検知方法の内容に応じた処理の流れに相当）を整理したものである。なお、この第１フローチャートは、テレビジョン装置１０の第１接続部１７ａ（ＨＤＭＩ）に通信端末装置２０の外部装置接続部２２が接続されると共に、テレビジョン装置１０のソース切替が第１接続部１７ａに切り替えられ、検知プログラムＰ２が起動して図７（ｂ）に示す設定画面３５が表示された段階で第３選択欄３５ｃが選択された状態から始まるものとする。
【００９９】
先ず、第１フローチャートにおいて、通信端末装置２０は、図７（ｃ）のユーザ指示画面３６に応じた画面情報をテレビジョン装置１０へ出力することになる（Ｓ１）。この画面情報の出力により、テレビジョン装置１０の表示画面１０ａには、図７（ｃ）のユーザ指示画面３６が表示されることになる。また、このユーザ指示画面３６で示されたユーザ指示に従って、ユーザが電源オフ操作及び電源オン操作を行うことになり、それにより、テレビジョン装置１０からは電源オフ操作に伴う情報及び電源オン操作に伴う情報が第１接続部１７ａから順次出力され、通信端末装置２０は、出力された各情報を、外部装置接続部２２を介して取得し、取得した各出力情報をメモリ２６に記憶し（Ｓ２）、それから、通信端末装置２０（ＣＰＵ２１）は、検知設定の特定処理を行う。
【０１００】
すなわち、通信端末装置２０（ＣＰＵ２１）は、記憶した各出力情報の中に「−１」から「０」に変化したＨＰＤ情報があるかを検知する（Ｓ３）。「−１」から「０」に変化したものがあることを検知した場合（Ｓ３：ＹＥＳ）、ＨＰＤ情報の「−１」から「０」への変化を電源オフ状態であると検知するように設定し、そのことをメモリ２６に検知設定情報の一つとして記憶する（Ｓ４）。また、ＨＰＤ情報の「−１」から「０」への変化を検知できなかった場合（Ｓ３：ＮＯ）、次に、記憶した各出力情報の中のＨＤＣＰ情報（暗号関連情報）の記憶（出力）が途切れて取得できなくなることを検知して、ＨＤＣＰ暗号に用いられる暗号鍵が不整合になったか否か判断する（Ｓ５）。
【０１０１】
暗号鍵が不整合になったと判断した場合（Ｓ５：ＹＥＳ）、ＨＤＣＰ情報（暗号関連情報）の取得できないことによるＨＤＣＰ暗号に用いられる暗号鍵が不整合になったことを電源オフ状態であると検知するように設定し、そのことをメモリ２６に検知設定情報の一つとして記憶する（Ｓ６）。また、暗号鍵が不整合になっていない場合（Ｓ５：ＮＯ）、次に、記憶した各出力情報の中に「０」から「−１」に変化したＨＰＤ情報があるかを検知する（Ｓ７）。
【０１０２】
「０」から「−１」に変化したものがあることを検知した場合（Ｓ７：ＹＥＳ）、ＨＰＤ情報の「０」から「−１」への変化を電源オン状態であると検知するように設定し、そのことをメモリ２６に検知設定情報の一つとして記憶する（Ｓ８）。また、ＨＰＤ情報の「０」から「−１」への変化を検知できなかった場合（Ｓ７：ＮＯ）、次に、記憶した各出力情報の中にＨＤＣＰ情報（暗号関連情報）のＨＤＣＰ暗号化を開始するための問い合わせ情報が含まれることの検知により、ＨＤＣＰ暗号化を開始できるようになったか否か判断する（Ｓ９）。
【０１０３】
ＨＤＣＰ暗号化を開始できるようになったことを判断した場合（Ｓ９：ＹＥＳ）、ＨＤＣＰ暗号化を開始できるようになったことを電源オン状態であると検知するように設定し、そのことをメモリ２６に検知設定情報の一つとして記憶する（Ｓ１０）。上記のようなＳ３〜Ｓ１０の処理を経て、メモリ２６に電源オン状態及び電源オフ状態の両方の状態を検知できる検知設定情報が記憶されて、検知設定が特定されて設定完了になったか否かを通信端末装置２０（ＣＰＵ２１）は判断する（Ｓ１１）。
【０１０４】
設定が完了していないと判断した場合（Ｓ１１：ＮＯ）、上記のＳ３〜Ｓ１０に係る検知処理が１回目であるか否かを判断する（Ｓ１２）。上記の検知処理が１回目であると判断した場合（Ｓ１２：ＹＥＳ）、通信端末装置２０は、図８（ｂ）のオン／オフ設定未完了画面３８に応じた画面情報をテレビジョン装置１０へ出力する（Ｓ１３）。この画面情報の出力により、テレビジョン装置１０の表示画面１０ａには、図８（ｂ）のオン／オフ設定未完了画面３８が表示されることになる。
【０１０５】
また、このオン／オフ設定未完了画面３８で示されたユーザ指示に従って、ユーザが再度、電源オフ操作及び電源オン操作を行うことになり、それにより、テレビジョン装置１０からは電源オフ操作に伴う情報及び電源オン操作に伴う情報が第１接続部１７ａから順次出力され、通信端末装置２０は、出力された各情報を、外部装置接続部２２で取得し、取得した各出力情報をメモリ２６に記憶し（Ｓ２）、以降、上述したＳ３〜Ｓ１０の段階の処理を経て、再度、設定が完了したか否かを通信端末装置２０（ＣＰＵ２１）は判断する（Ｓ１１）。
【０１０６】
再度のＳ３〜Ｓ１０の段階の処理を行っても設定が完了していないと判断した場合（Ｓ１１：ＮＯ）、検知処理が１回目であるか否かの判断段階（Ｓ１２）では、２回目と判断されると（Ｓ１２：ＮＯ）、通信端末装置２０は、図８（ｃ）のオン／オフ設定不可画面３９に応じた画面情報をテレビジョン装置１０へ出力する（Ｓ１４）。この画面情報の出力により、テレビジョン装置１０の表示画面１０ａには、オン／オフ設定不可画面３９が表示されることになり、表示内容から、テレビジョン装置１０は電源オン／オフ状態の検知ができない機種であることをユーザは把握することになり、この段階で検知設定の処理を終了することになる。なお、オン／オフ設定不可画面３９の表示の後は、ユーザが第１選択欄３９ａ又は第２選択欄３９ｂのいずれかを選択して、図７（ａ）のホーム画面３４又は図７（ｂ）の設定画面３５の表示へ切り替えることになる。
【０１０７】
一方、上述した処理により、設定が完了したと判断した場合（Ｓ１１：ＹＥＳ）、通信端末装置２０は、図８（ａ）は、オン／オフ設定完了画面３７に応じた画面情報をテレビジョン装置１０へ出力する（Ｓ１５）。この画面情報の出力により、テレビジョン装置１０の表示画面１０ａには、オン／オフ設定完了画面３７が表示されることになり、表示内容から、テレビジョン装置１０は電源オン／オフ状態の検知が完了したことをユーザは把握することになり、この段階で検知設定の特定処理を終了し、次に、図１３に示す第２フローチャートの処理へ移行することになる。なお、表示内容については、オン／オフ設定完了画面３７の第１選択欄３７ａ又は第２選択欄３７ｂのいずれかをユーザが選択して、図７（ａ）のホーム画面３４又は図７（ｂ）の設定画面３５の表示へ切り替えることになる。
【０１０８】
図１３に示す第２フローチャートは、上述した図１２の第１フローチャートの処理を経て検知設定が完了した場合（Ｓ１１：ＹＥＳ）に行われるものであり、テレビジョン装置１０からの出力によりテレビジョン装置１０が電源オン状態又は電源オフ状態であるかを検知する処理の流れを示したものであり、テレビジョン装置１０との表示内容とは特に連動することなく、通信端末装置２０が裏で行う一連の処理を示す。まず、通信端末装置２０（ＣＰＵ２１）は、テレビジョン装置１０の第１接続部１７ａ（ＨＤＭＩ）からの出力情報を、外部装置接続部２２を介して取得したか否かを判断する（Ｓ２０）。出力情報を取得していない場合（Ｓ２０：ＮＯ）、出力情報の取得待ちとなる。また、出力情報を取得した場合（Ｓ２０：ＹＥＳ）、上述した第１フローチャートの処理を経てメモリ２６に記憶されている検知設定情報に従って、取得した出力情報に基づきテレビジョン装置１０の状態（電源オン状態又は電源オフ状態）を検知する（Ｓ２１）。
【０１０９】
そして、通信端末装置２０（ＣＰＵ２１）は、検知結果を装置識別情報Ｄ１及びユーザＩＤと共にサーバ装置２へ送信する処理を行う（Ｓ２２）。それから、通信端末装置２０（ＣＰＵ２１）は、検知プログラムＰ２の起動が停止したか否かを判断し（Ｓ２３）、起動を停止しなければ（Ｓ２３：ＮＯ）、最初の出力情報を取得したかを判断する段階（Ｓ２０）へ戻り、以降、検知プログラムＰ２の起動が停止されるまで、上述した処理を繰り返すことになる。また、検知プログラムＰ２の起動が停止した場合（Ｓ２３：ＹＥＳ）、通信端末装置２０（ＣＰＵ２１）は検知処理を終了することになる。
【０１１０】
一方、サーバ装置２は、通信端末装置２０が上述した図１３の第２フローチャートに示す処理を行うことで、検知結果を随時受信すると共に、受信した検知結果を図１１に示す検知結果テーブル７に、受信日時と共に記憶する。そして、サーバ装置２は、その日の中で最初の電源オン状態になったことを検知結果テーブル７から判断した場合、「テレビの電源が入りました」という旨の電子メールを、その判断に係る検知結果に応じたユーザＩＤの見守る人へ送信する。さらに、サーバ装置２は、検知結果テーブル７の中身を随時確認して、「電源がオンされない状態」及び「長時間電源がオフされない状態」になっていないかを検知し、上記いずれかの状態を検知した場合、見守られる人に異常が発生したと判断し、異常発生の旨を記載した電子メールを、その判断に係る検知結果に応じたユーザＩＤの見守る人へ送信する。
【０１１１】
上記のような電子メールを見守る人へ送信することで、見守る人は、見守られる人に異常が発生したことを把握でき、見守られる人の元へ駆けつけるなどの対応を迅速に行うことができる。このように第１実施形態では、図７（ｃ）のユーザ指示画面３６及び図８（ｂ）のオン／オフ設定未完了画面３８を表示して、ユーザに電源オフ／オン操作を行わせて検知設定を行うので、短時間で確実に設定を行えるというメリットがある。
【０１１２】
なお、第１実施形態に係る発明は、上述した内容に限定されるものではなく、種々の変形例が考えられる。例えば、通信端末装置２０のネットワーク通信は無線通信部２３で無線通信を行うように説明したが、イーサネット（登録商標）等に応じた有線で通信を行う有線通信部を通信端末装置２０に設けて、有線通信でサーバ装置２と通信を行うようにしてもよい。
【０１１３】
また、本実施形態に係る装置状態確認システム１は、見守りサービス以外の他のサービスに利用することも可能である。見守りサービス以外の他のサービスとしては、テレビ放送の視聴状況確認サービス、メンテナンス時期確認サービス、及びネットワークコミュニケーションサービス等が想定できる。これらの各サービスに装置状態確認システム１を利用する場合、通信端末装置２０の処理は上述した内容と同じであり、サーバ装置２においては、通信端末装置２０から送信される検知結果を検知結果テーブル７に記憶するまでは同じであり、検知結果テーブル７に記憶された検知結果に対して、どのような処理を行うかが、それぞれのサービスで相違することとなる。
【０１１４】
例えば、装置状態確認システム１をテレビ放送の視聴状況確認サービスに利用する場合、図１１に示す検知結果テーブル７から、サーバ装置２（ＭＰＵ２ａ）は、電源オン状態になっている時間を、検知結果と共に記憶されている日時から算出し、算出した電源オン時間を視聴状況の調査を行う事業体（その事業体を管理するサーバ等）へ提供する。なお、視聴状況の調査を行う事業体は最終的に、視聴率の算出、市場調査（どの時間帯に電源オン、すなわち、テレビ放送を視聴している人がいるかの調査等）、視聴率の算出等に、提供を受けた電源オン時間を利用することになる。
【０１１５】
また、装置状態確認システム１をメンテナンス時期確認サービスに利用する場合、図１１に示す検知結果テーブル７から、サーバ装置２（ＭＰＵ２ａ）は、電源オン状態になっている時間を、検知結果と共に記憶されている日時から算出し、算出した電源オン時間を装置メンテナンス時期の確認を行う事業体（テレビジョン装置のメーカ等が管理するサーバ等）へ提供する。なお、メンテナンス時期の確認を行う事業体は、提供を受けた電源オン時間を、装置識別情報Ｄ１及びユーザＩＤごとに蓄積し、蓄積した電源オン時間の総時間が、点検基準となる点検時間又は装置寿命の基準となる寿命時間を超えたか否かを判断し、超えた場合は、そのユーザＩＤに応じた連絡先へ、点検時期が来ていること、又は寿命時期が来ていることを連絡する。
【０１１６】
装置状態確認システム１をネットワークコミュニケーションサービスを利用する場合については、ネットワークコミュニケーションサービスは、コンピュータネットワーク（主にインターネット）を通じてリアルタイムコミュニケーションを実現するアプリケーションに基づくサービスであるため、ユーザが使用する装置が電源オン状態になっているときに、このサービスを利用できることから、電源オン状態であれば「連絡可能」であること、及び電源オフ状態であれば「応答不可」であることを、このサービスを提供するサーバへ通知することになる。なお、装置状態確認システム１を上述した各種サービスに利用するのではなく、ユーザ自身が自己のテレビ使用状況等を確認する等の用途に本発明を適用する場合であれば、通信端末装置２０は検知結果をサーバ装置２へ送信する必要はなく、検知結果を通信端末装置２０に蓄積し、ユーザの要求に応じて蓄積した検知結果を読み出してテレビジョン装置１０へ出力する構成にすることで、テレビジョン装置１０に検知結果を表示して、ユーザが確認できるようにしてもよい。
【実施例２】
【０１１７】
図１４は、本発明の第２実施形態に係る発明で用いられる第３フローチャートを示しており、この第３フローチャートは、上述した第１実施形態における図１２の第１フローチャートに対応するものであり、第１実施形態で説明した図８（ａ）〜（ｃ）のような表示を行うことなく、裏で装置状態の検知に係る設定を自動的に行えることが特徴になっている。なお、第２実施形態に係る発明は、基本的なハード構成等は第１実施形態と同等であるため、同等である部分については、第１実施形態と同じ符号を用いて、以下、第２実施形態の説明を行う。
【０１１８】
第２実施形態で用いられる通信端末装置２０では、メモリ２６に記憶する検知プログラムＰ２の規定内容が、図１４に示す第３フローチャートの処理を含むものになっている。すなわち、第２実施形態の検知プログラムＰ２が規定する検知に係る設定段階の処理は、電源オン状態及び電源オフ状態の検知に係る設定内容については同等になっているが、図８（ａ）〜（ｃ）に示す各画面の表示に係る処理を行うことなく、テレビジョン装置１０からの出力情報に基づき、検知設定が特定できるまで随時、検知設定の特定処理を継続することを規定している。また、第２検知プログラムＰ２は、第１実施形態における図７（ａ）に示すホーム画面３４をテレビジョン装置１０で表示させる場合に対して、図１４の第３フローチャートに示す一連の処理で検知設定が完了していれば、図１５（ａ）に示すホーム画面１３４を表示させる処理を行い、検知設定が完了していなければ、図１５（ｂ）に示すホーム画面２３４を表示させる処理を行う。
【０１１９】
図１５（ａ）のホーム画面１３４は、基本的に図７（ａ）のホーム画面３４と同等であり、新たに、電源オン／オフ設定完了の旨を示す表示欄１３４ｃを新たに設けたことが特徴になっている。また、図１５（ｂ）のホーム画面２３４も、基本的に図７（ｂ）のホーム画面３４と同等であり、新たに、電源オン／オフ設定未完了の旨を示す表示欄２３４ｃを新たに設けたことが特徴になっている。よって、ユーザは、ホーム画面表示を行った際、図１５（ａ）の電源オン／オフ設定完了の旨を示す表示欄１３４ｃ、又は図１５（ｂ）の電源オン／オフ設定未完了の旨を示す表示欄２３４ｃのいずれかにより、検知設定が完了しているか否かを確認できる。なお、図１５（ａ）のホーム画面１３４及び図１５（ｂ）ホーム画面２３４を適宜表示できるようにするため、第２実施形態の通信端末装置２０は、各ホーム画面１３４、２３４に応じた画面情報をメモリ２６に記憶する。
【０１２０】
次に、図１４の第３フローチャートに従って、第２実施形態の検知設定の特定に係る処理を説明する。なお、この第３フローチャートの処理は、他の処理と平行的に行われるものであり、ユーザに意識されることなく、通信端末装置２０により第３フローチャートの処理が、他の処理の裏で行われることになる。まず、通信端末装置２０は、テレビジョン装置１０からの出力情報を取得したか否かを判断する（Ｓ３０）。この場合、ユーザにより、電源オン操作又は電源オフ操作がテレビジョン装置１０に対して行われると、電源オン操作に伴う情報、又はユーザの電源オフ操作に伴う情報の少なくともいずれかが出力されることになる。
【０１２１】
テレビジョン装置１０からの出力情報を取得していない場合（Ｓ３０：ＮＯ）、出力情報の取得待ちとなる。また、出力情報を取得した場合（Ｓ３０：ＹＥＳ）、通信端末装置２０（ＣＰＵ２１）は、取得した出力情報に対して、上述した図１２の第１フローチャートのＳ３〜Ｓ１０の段階と同等の処理内容のＳ３１〜Ｓ３８の段階の処理を行う。このようなＳ３１〜Ｓ３８の処理を経て、メモリ２６に電源オン状態及び電源オフ状態の両方の状態を検知できる検知設定情報が特定されて記憶された状態となって、設定が完了したか否かを通信端末装置２０（ＣＰＵ２１）は判断する（Ｓ３９）。
【０１２２】
設定が完了していないと判断した場合（Ｓ３９：ＮＯ）、通信端末装置２０（ＣＰＵ２１）は最初の段階（Ｓ３０）へ戻り、以降、設定が完了するまで、Ｓ３０〜Ｓ３９までの各段階の処理を繰り返すことになる。なお、このように設定が完了していない状況で、ホーム画面を表示させる操作をユーザが行うと、通信端末装置２０（ＣＰＵ２１）は、図１５（ｂ）に示すホーム画面２３４をテレビジョン装置１０へ表示させる処理を行う。
【０１２３】
また、設定が完了したと判断した場合（Ｓ３９：ＹＥＳ）、通信端末装置２０（ＣＰＵ２１）は、この段階で検知設定の特定処理を終了し、次に、第１実施形態と同様に、図１３に示す第２フローチャートの処理を行うことになる。なお、このように設定が完了した状況で、ホーム画面を表示させる操作をユーザが行うと、通信端末装置２０（ＣＰＵ２１）は、図１５（ａ）に示すホーム画面１３４をテレビジョン装置１０へ表示させる処理を行うことになる。
【０１２４】
上述した内容以外は、第２実施形態の発明は、第１実施形態と同様であり、第１実施形態で説明した各種変形例を適用することも可能である。このように第２実施形態では、検知設定用のユーザが操作を行わないで、通常にテレビジョン装置１０を使用しているだけで、検知設定が行えるという点にメリットがある。なお、上述した第１実施形態の検知設定の処理と第２実施形態の検知設定の処理を組み合わせることも可能であり、この場合は、例えば、初めて通信端末装置２０をテレビジョン装置１０へ接続した場合は、第１実施形態の検知設定の処理を行い、その後、テレビジョン装置１０の設定がユーザにより変更されて出力情報の中身が変更になった場合は、第２実施形態の検知設定の処理を行うことなどが考えられる。
【実施例３】
【０１２５】
図１６は、本発明の第３実施形態に係る発明で用いられる第４フローチャートを示しており、この第４フローチャートは、検知設定の特定に係る上述した第１実施形態における図１２の第１フローチャートのＳ３〜Ｓ１０の段階を行わなくても、即座にテレビジョン装置１０の状態を検知できることが特徴になっている。なお、第３実施形態に係る発明は、基本的なハード構成等は第１実施形態と同等であるため、同等である部分については、第１実施形態と同じ符号を用いて、以下、第３実施形態の説明を行う。
【０１２６】
第３実施形態で用いられる通信端末装置２０では、メモリ２６に記憶する検知プログラムＰ２の規定内容が、図１６に示す第４フローチャートの処理を含むものになっている。第３実施形態の検知プログラムＰ２は、テレビジョン装置１０がＨＤＭＩ−ＣＥＣという制御信号の伝送設定が有効になっている場合に対応したものであり（以下、「ＨＤＭＩ−ＣＥＣ有効」と称す）、ＨＤＭＩ−ＣＥＣ有効の場合、テレビジョン装置１０が電源オン状態又は電源オフ状態のいずれかであるかを示すメッセージを第１接続部１７ａから出力するので、その出力メッセージの少なくともいずれかを、外部装置接続部２２を通じて取得し、取得した出力メッセージの内容により、テレビジョン装置１０が電源オン状態又は電源オフ状態であるかを検知判別することを規定した内容になっている。
【０１２７】
また、ＨＤＭＩ−ＣＥＣ有効の場合、ユーザによりソース切替操作が行われた場合、テレビジョン装置１０は、第１接続部１７ａから、ソース切替操作が行われた旨を示すメッセージを出力するので、第３実施形態の検知プログラムＰ２は、上述した電源オン状態又は電源オフ状態のいずれかであるかを示す出力メッセージ、及びソース切替操作が行われた旨を示す出力メッセージの中から少なくともいずれか一つを取得し、取得した出力メッセージに基づき、テレビジョン装置１０の状態（電源オン／オフ状態、ソース切替操作が行われた状態）を検知することを規定した内容になっている。そして、取得した出力メッセージに基づきテレビジョン装置１０の状態を検知した場合、検知結果をサーバ装置２へＣＰＵ２１が送信する処理を行うことも、第３実施形態の検知プログラムＰ２は規定している。
【０１２８】
さらに、ＨＤＭＩ−ＣＥＣ有効の場合であっても、ユーザの操作設定により、テレビジョン装置１０が後から、ＨＤＭＩ−ＣＥＣ無効に切り替えられる場合があるので、第３実施形態の検知プログラムＰ２は、テレビジョン装置１０から出力されるメッセージを取得した場合、その出力メッセージに基づき装置状態を検知してから所定時間（例えば、５分）経過すると、テレビジョン装置１０の状態を問い合わせるためのメッセージ（例えば、Ｇｅｔ  Ｄｅｖｉｃｅ  Ｐｏｗｅｒ  Ｓｔａｔｕｓメッセージ）を、外部装置接続部２２からテレビジョン装置１０へ出力する処理をＣＰＵ２１が行うことを規定している。
【０１２９】
さらにまた、問い合わせのメッセージ要求を出力した場合、そのときの電源状態を示す応答メッセージをテレビジョン装置１０から取得したか否かをＣＰＵ２１が判断することも、第３実施形態の検知プログラムＰ２は規定している。
【０１３０】
一方、上述した各出力メッセージのいずれも取得できない場合、第３実施形態の検知プログラムＰ２は、第１実施形態で説明した処理内容で、検知設定の特定及び検知処理等を行うことを規定している。
【０１３１】
テレビジョン装置１０の第１接続部１７ａへ外部装置接続部２２を接続した状態の第３実施形態の通信端末装置２０の一連の処理内容（装置状態確認方法の内容）を図１６の第４フローチャートに基づき説明する。なお、この第４フローチャートの開始時点では、テレビジョン装置１０は、ＨＤＭＩ−ＣＥＣに応じた出力メッセージできる状態になっているものとする。
【０１３２】
まず、通信端末装置２０（ＣＰＵ２１）は、テレビジョン装置１０からのＨＤＭＩ−ＣＥＣに応じた出力メッセージを取得したか否かを判断する（Ｓ４０）。通信端末装置２０（ＣＰＵ２１）は、出力メッセージを取得していない場合（Ｓ４０：ＮＯ）、出力待ちの状態となり、出力メッセージを取得した場合（Ｓ４０：ＹＥＳ）、取得したメッセージの内容に基づきテレビジョン装置１０の状態を検知する（Ｓ４１）。なお、この際、通信端末装置２０（ＣＰＵ２１）は計時処理も開始する。
【０１３３】
それから通信端末装置２０（ＣＰＵ２１）は、検知結果をサーバ装置２へ送信する処理を行い（Ｓ４２）、計時を開始してから所要時間（５分）が経過したか否かを判断する（Ｓ４３）。所要時間が経過していない場合（Ｓ４３：ＮＯ）、新たに出力メッセージを取得したか否かを判断する（Ｓ４４）。新たに出力メッセージを取得した場合（Ｓ４４：ＹＥＳ）、通信端末装置２０（ＣＰＵ２１）は、計時していた時間をリセットして（Ｓ４５）、装置状態を検知する段階（Ｓ４１）へ戻り、新たな出力メッセージの内容に基づき装置状態を検知する。また、新たに出力メッセージを取得していない場合（Ｓ４４：ＮＯ）、所要時間経過判断の段階（Ｓ４３）へ戻り、以降、新たな出力メッセージを取得しなければ、Ｓ４３及びＳ４４の段階の処理を所要時間が経過するまで繰り返す。
【０１３４】
また、所要時間が経過した場合（Ｓ４３：ＹＥＳ）、通信端末装置２０（ＣＰＵ２１）は、計時していた時間をリセットすると共に、テレビジョン装置１０の状態を問い合わせるためのメッセージ（例えば、Ｇｅｔ  Ｄｅｖｉｃｅ  Ｐｏｗｅｒ  Ｓｔａｔｕｓメッセージ）を、テレビジョン装置１０へ出力する処理を行い（Ｓ４６）、この問い合わせに対する応答メッセージを取得したか否かを判断する（Ｓ４７）。
【０１３５】
応答メッセージを取得した場合（Ｓ４７：ＹＥＳ）、テレビジョン装置１０は、依然としてＨＤＭＩ−ＣＥＣが有効であってメッセージを出力できる状態であることが分かるので、最初のＳ４０の段階へ戻り、上述した処理を再度繰り返すことになる。
【０１３６】
一方、応答メッセージを取得しない場合（Ｓ４７：ＮＯ）、テレビジョン装置１０は、ユーザの設定変更操作等により、ＨＤＭＩ−ＣＥＣが無効になったか、又は、メッセージを出力しない設定に変更された状態になったので、以降はテレビジョン装置１０からの出力メッセージを期待できないので、上述した第１実施形態で説明した検知設定の特定処理及び検知処理（図１２の第１フローチャート及び図１３の第２フローチャート参照）を行う（Ｓ４８）。
【０１３７】
このように第３実施形態の発明では、テレビジョン装置１０からの出力メッセージにより装置状態を検知するので、特に、検知設定の特定処理を行うことなく、迅速且つ確実に装置状態を把握できる点にメリットがある。上述した内容以外は、第３実施形態の発明は、第１実施形態と同様であり、第１実施形態で説明した各種変形例を適用することも可能である。なお、図１６の第４フローチャートのＳ４８の段階では、検知設定の特定処理について第１実施形態の処理を用いると説明したが、第１実施形態の検知設定の特定処理を用いる替わりに第２実施形態で説明した検知設定の特定処理（図１４の第３フローチャート参照）を用いることも可能であり、さらには、第２実施形態の変形例でも説明したように、第１実施形態及び第２実施形態の処理を組み合わせて用いることも可能である。
【実施例４】
【０１３８】
図１７は、本発明の第４実施形態に係る発明で用いられる検知設定テーブル８を示している。この検知設定テーブル８は、複数の表示装置（テレビジョン装置）について、メーカ及び型番を示す機種（装置識別情報）ごとに、発売時期、表示装置からの出力に基づき表示装置の状態を検知する場合の検知設定情報等を対応付けたものになっており、第４実施形態に係る発明は、この検知設定テーブル８に基づいて容易且つ確実に検知設定を特定できることが特徴になっている。なお、第４実施形態に係る発明は、基本的なハード構成等は第１実施形態と同等であるため、同等である部分については、第１実施形態と同じ符号を用いて、以下、第４実施形態の説明を行う。
【０１３９】
第４実施形態で用いられるサーバ装置２（図９参照）は、大容量記憶システム２ｇに、検知設定テーブル８を記憶したものになっている。検知設定テーブル８は、図１７に示すように、複数の表示装置（テレビジョン装置）ごとの検知設定情報を格納したものである。検知設定情報は、ＨＤＭＩ−ＣＥＣがデフォルトで有効であるか、電源オン／オフ状態を検知するのに、出力情報の中のＨＰＤ情報の変化、又はＨＤＣＰ情報（暗号関連情報）による暗号鍵を利用できるかを示す情報になっている。
【０１４０】
また、大容量記憶システム２ｇに記憶されている状態確認プログラム４は、上述した第１実施形態で説明した処理に加えて、検知設定テーブル８に関する処理を規定している。具体的には、通信モジュール２ｂで装置識別情報（メーカ及び型番）を受信すると、検知設定テーブル８の中から、装置識別情報に対応付けられた検知設定情報を特定する処理をＭＰＵ２ａが行うことを規定している。例えば、受信した装置識別情報としてメーカが「Ａ」、型番が「ＡＡ１」という情報を受信すると、状態確認プログラム４の規定に従って、ＭＰＵ２ａは、検知設定情報として、ＨＤＭＩ−ＣＥＣは「有効」、電源オン状態検知についてのＨＰＤ情報は「可」、ＨＤＣＰ情報は「可」、電源オフ状態検知についてのＨＰＤ情報は「不可」、ＨＤＣＰ情報は「可」という内容の検知設定情報を特定することになる。
【０１４１】
そして、第４実施形態の状態確認プログラム４は、特定した検知設定情報を、装置識別情報の送信元へ通信モジュール２ｂから送信する処理をＭＰＵ２ａが行うことを規定している。なお、検知設定テーブル８は、新たな表示装置（テレビジョン装置）が販売されるごとに更新されるので、サーバ装置２は、検知設定テーブル８の配信元の外部サーバからテーブル更新の連絡を受信すると、更新された検知設定テーブル８をダウンロードして、依然のものと置き換えて大容量記憶システム２ｇに記憶することになる。
【０１４２】
一方、第４実施形態で用いられる通信端末装置２０は、接続先となる外部の表示装置の装置識別情報をサーバ装置２へ問い合わせて、その外部の表示装置に応じた検知設定情報をダウンロードして記憶し、記憶した検知設定情報に基づき装置状態の検知処理を行う旨を規定している。具体的には、外部装置接続部２２を、外部の表示装置の接続端子（例えば、テレビジョン装置１０の第１接続部１７ａ）へ接続すると、外部の表示装置がＨＤＭＩ−ＣＥＣに応じた仕様であると、その装置を識別する装置識別情報（例えば、製造メーカ、型番（機種）等を示すＤｅｖｉｃｅ  Ｖｅｎｄｅｒ  ＩＤ）を示すＨＤＭＩ−ＣＥＣメッセージが出力されるので、そのような装置識別情報を含む出力メッセージを取得したか否かを判断する処理をＣＰＵ２１が行うことを検知プログラムＰ２は規定している。
【０１４３】
また、検知プログラムＰ２は、装置識別情報を取得できれば、取得した装置識別情報をサーバ装置２へ送信して、その装置識別情報に応じた検知設定情報をダウンロードし、その後は、ダウンロードした検知設定情報に基づき装置状態の検知処理を行う旨を規定している。ダウンロードする検知設定情報については、「ＨＤＭＩ−ＣＥＣ」、「ＨＰＤ」、「ＨＤＣＰ」の優先順序で装置状態の検知に用いる設定を特定することを、検知プログラムＰ２は規定している。
【０１４４】
すなわち、検知設定情報の中身に「ＨＤＭＩ−ＣＥＣ  有効」の旨が含まれていれば、優先的に上述した第３実施形態で説明した処理の場合と同様の検知設定となり、この検知設定に従って、表示装置からの出力（出力メッセージ）に基づき装置状態の検知処理を行う。また、検知設定情報の中身が「ＨＤＭＩ−ＣＥＣ  無効」であり、「ＨＰＤ  可」又は「ＨＤＣＰ  可」であれば、上述した第１実施形態で説明した処理の場合と同様の検知設定となり、この検知設定の内容に従って、表示装置からの出力（出力情報）に基づき装置状態の検知処理を行うことを、検知プログラムＰ２は規定している。なお、装置識別情報を取得できない場合、又は装置識別情報をダウンロードできない場合、上述した第１実施形態で説明した処理内容に基づき、検知設定の特定及び検知処理を行うことを第４実施形態の検知プログラムＰ２は規定している。
【０１４５】
図１８に示す第５フローチャートは、第４実施形態に係る通信端末装置２０が行う一連の処理（装置状態確認方法の処理）の流れを整理したものである。以下、この第５フローチャートに従って、通信端末装置２０の処理を説明する。まず、通信端末装置２０は、外部の表示装置（テレビジョン装置１０）から装置識別情報を取得したか否かを判断する（Ｓ５０）。装置識別情報を取得した場合（Ｓ５０：ＹＥＳ）、通信端末装置２０は、取得した装置識別情報をサーバ装置２へ送信する（Ｓ５１）。なお、装置識別情報がサーバ装置２へ送信されることで、サーバ装置２は、送信された装置識別情報に対して、上述した検知設定テーブル８を用いて、検知設定情報の特定、及び特定した検知設定情報の送信を行うことになるが、何らかの理由（例えば、検知設定テーブル８に該当する検知設定情報が無い等）により検知設定情報を送信できないこともある。
【０１４６】
装置識別情報の送信後、通信端末装置２０は、サーバ装置２から検知設定情報ダウンロードできたか否かを判断する（Ｓ５２）。ダウンロードできた場合（Ｓ５２：ＹＥＳ）、そのダウンロードした検知設定情報を記憶保存し、その検知設定情報に基づき装置状態の検知処理、及び検知結果の送信を行う（Ｓ５３  第１〜３実施形態で説明した処理内容参照）。
【０１４７】
一方、装置識別情報を取得できない場合（Ｓ５０：ＮＯ）と、検知設定情報をダウンロードできない場合（Ｓ５２：ＮＯ）に対しては、通信端末装置２０は上述した第１実施形態で説明した検知設定の特定処理及び検知処理（図１２の第１フローチャート及び図１３の第２フローチャート参照）を行って、テレビジョン装置１０の状態を検知するための設定を行ってから、実際に状態を検知し、検知結果をサーバ装置２へ送信することになる（Ｓ５４）。
【０１４８】
このように第４実施形態に係る発明では、図１７の検知設定テーブル８を用いて、検知処理に用いる検知設定情報を特定するので、テレビジョン装置１０からの出力を検知することなくスムーズ且つ確実に検知設定を行える点にメリットがある。上述した内容以外は、第４実施形態の発明は、第１実施形態と同様であり、第１実施形態で説明した各種変形例を適用することも可能である。なお、図１８の第５フローチャートのＳ５４の段階では、第１実施形態の処理を用いると説明したが、第１実施形態の処理を用いる替わりに第２実施形態で説明した処理（図１４の第３フローチャート参照）を用いることも可能であり、さらには、第２実施形態の変形例でも説明したように、第１実施形態及び第２実施形態の処理を組み合わせて用いることも可能である。
【０１４９】
また、上記の説明では、通信端末装置２０は検知設定情報を、検知結果の送信先となるサーバ装置２からダウンロードするようにしたが、サーバ装置２と異なる外部のサーバが検知設定テーブル８を保持する場合は、その外部のサーバへ装置識別情報を送信して、その外部のサーバから検知設定情報をダウンロードするようにしてもよい。
【０１５０】
さらに、上記の説明では、検知設定情報を通信端末装置２０へダウンロードして、テレビジョン装置１０の状態を通信端末装置２０で検知するようにしたが、検知設定情報をダウンロードしないで、通信端末装置２０がテレビジョン装置１０からの出力をサーバ装置２へ送信することで、サーバ装置２がテレビジョン装置１０の状態を検知するような仕様にする変形例も想定できる。
【０１５１】
この変形例では、通信端末装置２０は、検知設定の特定段階では図１８の第５フローチャートにおいてＳ５１の段階までを行い、Ｓ５２〜Ｓ５４の処理を行わないことになり、一方、サーバ装置２は、通信端末装置２０から送信されてくる装置識別情報に基づき、検知設定テーブル８から、検知設定情報を特定することまで行う。
【０１５２】
また、検知処理の段階では、通信端末装置２０は装置識別情報以外の出力をテレビジョン装置１０から取得するごとに、取得した出力をネットワークＮＷを通じてサーバ装置２へ送信する処理を行うことに終始する。一方、サーバ装置２は、通信端末装置２０から送信される出力（装置識別情報以外の出力）を受信すれば、特定した検知設定情報に従って、受信した出力に基づきテレビジョン装置１０の状態を検知し、その検知結果を、検知した処理に日時と対応付けて、大容量記憶システム２ｇの記憶テーブル７に記憶する。このような変形例では、通信端末装置２０の検知プログラムＰ２は、上述した変形例に応じた処理を規定することになり、同様に、サーバ装置２の状態確認プログラム４も、上述した変形例に応じた処理を規定することになる。
【０１５３】
図１９は、上述した第４実施形態の変形例におけるサーバ装置２０が行う一連の処理の流れ（装置状態確認方法の処理の流れの一部）を整理した第６フローチャートを示している。この第６フローチャートにおいて、サーバ装置２０は、先ず、通信端末装置２０から送信される装置識別情報を受信したか否かを判断し（Ｓ５５）、受信していない場合は（Ｓ５５：ＮＯ）、受信待ちの状態となり、受信した場合は（Ｓ５５：ＹＥＳ）、受信した装置識別情報に対応付けられた検知設定情報を、検知設定テーブル８の中から特定する（Ｓ５６）。それからサーバ装置２は、通信端末装置２０から送信される装置識別情報以外の出力を受信したか否かを判断し（Ｓ５７）、受信していない場合は（Ｓ５７：ＮＯ）、受信待ちの状態となり、受信した場合は（Ｓ５７：ＹＥＳ）、Ｓ５６の段階で特定した検知設定情報に従って、受信した出力に基づきテレビジョン装置１０の状態を検知し（Ｓ５８）、検知結果を検知日時と共に記憶テーブル７に記憶する（Ｓ５９）。
【０１５４】
このような第４実施形態の変形例では、検知設定情報を通信端末装置２０へダウンロードすることが不要になるので、検知設定情報のダウンロードに係る手間を省略できると共に、通信端末装置２０は装置状態の検知に関係する処理を行わなくても済むので、処理負担を低減でき、さらにサーバ装置２では、装置状態の検知に関する処理を、検知結果の記憶まで自己で完結して行えることから、スムーズ且つ確実な検知処理を行えるという各点でメリットがある。
【実施例５】
【０１５５】
図２０は、本発明の第５実施形態に係る発明で用いられる第７フローチャートを示している。第５実施形態に係る発明は、上述した第４実施形態で説明した検知設定テーブルを用いるものであるが、この検知設定テーブルをダウンロードするのではなく、通信端末装置に記憶させて装置状態の検知を行うことが特徴になっている。なお、第５実施形態に係る発明は、基本的なハード構成等は第１実施形態等と同等であるため、同等である部分については、第１実施形態等と同じ符号を用いて、以下、第５実施形態の説明を行う。
【０１５６】
第５実施形態で用いられる通信端末装置２０では、図１７に示す内容の検知設定テーブル８をメモリ２６に記憶している。この検知設定テーブル８は、通信端末装置２０の製造段階でメモリ２６に予め記憶させてもよく、又は、製造販売後、ユーザ操作によって、検知設定テーブル８の配信サーバからダウンロードしてメモリ２６に記憶させてもよい。また、新機種の発売等により、検知設定テーブル８の内容を更新した場合などに対して、更新した検知設定テーブル８を配信サーバからダウンロードできるようになっており、更新版の検知設定テーブル８をダウンロードした場合は、以前の検知設定テーブル８と置換してメモリ２６に記憶することになる。
【０１５７】
また、通信端末装置２０のメモリ２６に記憶する検知プログラムＰ２は、上述した第４実施形態でサーバ装置２が行っていた処理を通信端末装置２０側で行うように規定したものになっており、具体的には、メモリ２６に記憶する検知設定テーブル８を用いて検知設定情報を特定して、その特定した検知設定情報に基づき検知処理等を行うことを規定している。
【０１５８】
図２０の第７フローチャートに従って、第５実施形態に係る通信端末装置２０の処理手順（装置状態確認方法の処理）を説明すると、まず、通信端末装置２０は、外部の表示装置（テレビジョン装置１０）から、外部装置接続部２２を通じて装置識別情報を取得したか否かを判断する（Ｓ６０）。装置識別情報を取得した場合（Ｓ６０：ＹＥＳ）、取得した装置識別情報に対応する検知設定情報を、メモリ２６に記憶する検知設定テーブル８から特定できるか否かを判断する（Ｓ６１）。検知設定情報を特定できた場合（Ｓ６１：ＹＥＳ）、その特定した検知設定情報に従って、テレビジョン装置１０から取得した出力に基づき装置状態の検知処理、及び検知結果の送信を行う（Ｓ６２  第１〜３実施形態で説明した処理内容参照）。
【０１５９】
一方、装置識別情報を取得できない場合（Ｓ６０：ＮＯ）と、検知設定情報を特定できない場合（Ｓ６１：ＮＯ）に対しては、通信端末装置２０は上述した第１実施形態で説明した検知設定の特定処理及び検知処理（図１２の第１フローチャート及び図１３の第２フローチャート参照）を行うことになり、テレビジョン装置１０の状態を検知するための設定を特定してから、テレビジョン装置からの出力を取得して実際に状態を検知し、検知結果をサーバ装置２へ送信することになる（Ｓ６３）。
【０１６０】
このように第５実施形態に係る発明では、検知設定テーブル８を通信端末装置２０が記憶して検知処理を行うので、第４実施形態に比べて、簡潔且つスムーズに検知処理を行える点にメリットがある。上述した内容以外は、第５実施形態の発明は、第１実施形態等と同様であり、第１実施形態等で説明した各種変形例を適用することも可能である。なお、図２０の第７フローチャートのＳ６３の段階では、第１実施形態の処理を用いると説明したが、第４実施形態で説明したような変形例を適用することも勿論可能である。
【実施例６】
【０１６１】
図２１、２２、２３は、本発明の第６実施形態に係る発明で用いられる第８、９、１０フローチャートを示している。第６実施形態に係る発明は、上述した第１実施形態の発明と関連するものであり、第１実施形態では通信端末装置側で検知設定に係る特定処理及び検知処理を行っていたが、サーバ側で検知設定に係る特定処理及び検知処理を行うようにしたことが特徴になっている。なお、第６実施形態に係る発明においても、基本的なハード構成等は第１実施形態等と同等であるため、同等である部分については、第１実施形態等と同じ符号を用いて以下、第６実施形態の説明を行う。
【０１６２】
第６実施形態で用いられる通信端末装置２０では、まず、検知設定に係る特定処理を行わないので、テレビジョン装置１０から取得した出力情報をサーバ装置２へ送信する。また、出力情報の送信に応じて、サーバ装置２から設定完了の通知を受信できれば、図８（ａ）のオン／オフ設定完了画面３７を表示させる処理を通信端末装置２０は行う。一方、設定完了の通知を受信できずに、設定不可の通知を受信すれば、図８（ｂ）のオン／オフ設定未完了画面３８を表示させる処理を行って再度、同様の処理を行い、それでも設定不可の通知を受信すれば、図８（ｃ）のオン／オフ設定不可画面３９を表示させる処理を行う。
【０１６３】
また、検知設定を特定した後の検知に係る処理においても、通信端末装置２０は自ら処理を行わず、テレビジョン装置１０からの出力を取得すると、そのまま出力をサーバ装置２へ送信する処理を行う。上述した箇所以外については、第６実施形態に係る通信端末装置２０は、第１実施形態と同様の処理を行う。
【０１６４】
また、第６実施形態で用いられるサーバ装置２は、第１実施形態では通信端末装置２０が行っていた検知設定に係る特定処理を行い、設定が完了すれば、検知設定情報を記憶して設定完了の通知を通信端末装置２０へ送信し、設定ができなければ、設定不可の通知を通信端末装置２０へ送信する。さらに、検知設定後の検知処理において、通信端末装置２０から出力情報を受信すれば、記憶する検知設定情報に基づき装置状態を検知し、検知結果を検知した日時と共に記憶する。
【０１６５】
図２１に示す第８フローチャートは、検知設定の特定段階における通信端末装置２０が行う一連の処理の流れを整理したものであり、図２２に示す第９フローチャートも検知設定の特定段階におけるサーバ装置２の処理の流れを示し、以降、第８、９フローチャートを用いて、第６実施形態における検知設定の特定段階の処理内容（装置状態確認方法の内容）を説明する。
【０１６６】
まず、図２１の第８フローチャートにおいて、通信端末装置２０は、図７（ｃ）のユーザ指示画面３６に応じた画面情報をテレビジョン装置１０へ出力し（Ｓ７０）、テレビジョン装置１０から出力されてくる電源オフ操作に伴う情報及び電源オン操作に伴う情報を順次取得して、取得した各出力情報をメモリ２６に記憶する（Ｓ７１）。それから、通信端末装置２０は、記憶した各出力情報をサーバ装置２０へ送信する（Ｓ７２）。
【０１６７】
一方、図２２の第９フローチャートにおいて、サーバ装置２は、通信端末装置２０からの出力情報を受信したか否かを判断し（Ｓ８０）、受信しない場合（Ｓ８０：ＮＯ）、受信待ちの状態となる。受信した場合（Ｓ８０：ＹＥＳ）、サーバ装置２は、受信した出力情報に対して、上述した図１２の第１フローチャートのＳ３〜Ｓ１０の段階と同等の処理内容のＳ８１〜Ｓ８８の段階の処理を行う。このようなＳ８１〜Ｓ８８の処理を経て、装置状態の検知に係る設定が完了したか否かを判断する（Ｓ８９）。
【０１６８】
設定が完了していないと判断した場合（Ｓ８９：ＮＯ）、サーバ装置２は、設定不可の通知を通信端末装置２０へ送信し（Ｓ９０）、設定が完了したと判断した場合は（Ｓ８９：ＹＥＳ）、検知設定情報を大容量記憶システム２ｇに記憶し（Ｓ９１）、設定完了の通知を通信端末装置２０へ送信する（Ｓ９２）。
【０１６９】
図２１の第８フローチャートに戻り、通信端末装置２０は、サーバ装置２から設定完了の通知を受信したか否かを判断する（Ｓ７３）。設定完了の通知を受信しないで設定不可の通知を受信した場合（Ｓ７３：ＮＯ）、Ｓ７３の段階までの処理が１回目であるか否かを判断する（Ｓ７４）。Ｓ７３の段階までの処理が１回目であると判断した場合（Ｓ７４：ＹＥＳ）、通信端末装置２０は、図８（ｂ）のオン／オフ設定未完了画面３８に応じた画面情報をテレビジョン装置１０へ出力し（Ｓ７５）、Ｓ７１の段階へ戻り、上述した処理を繰り返す。
【０１７０】
また、処理を繰り返しても、設定情報を受信しないで設定不可の通知を受信すると（Ｓ７３：ＮＯ）、Ｓ７３の段階までの処理は２回目となるので（Ｓ７４：ＮＯ）、通信端末装置２０は、図８（ｃ）のオン／オフ設定不可画面３９に応じた画面情報をテレビジョン装置１０へ出力する（Ｓ７６）。一方、設定完了の通知を受信した場合（Ｓ７３：ＹＥＳ）、通信端末装置２０は、図８（ａ）は、オン／オフ設定完了画面３７に応じた画面情報をテレビジョン装置１０へ出力する（Ｓ７７）。
【０１７１】
図２３の第１０フローチャートは、装置状態の検知に関する通信端末装置２０及びサーバ装置２の処理の流れを示すものであり、上述した第８、９フローチャートの処理で検知設定が完了となった場合に可能となる処理を示している。まず、通信端末装置２０は、テレビジョン装置１０の出力情報を取得したか否かを判断し（Ｓ１００）。出力情報を取得していない場合（Ｓ１００：ＮＯ）、出力情報の取得待ちとなる。また、出力情報を取得した場合（Ｓ１００：ＹＥＳ）、取得した出力情報をサーバ装置２へ送信する（Ｓ１０１）、その後、通信端末装置２０は、検知プログラムＰ２の起動が停止したか否かを判断し（Ｓ１０２）、起動を停止しなければ（Ｓ１０２：ＮＯ）、最初の出力情報を取得したかを判断する段階（Ｓ１００）へ戻り、以降、検知プログラムＰ２の起動が停止されるまで、上述した処理を順次繰り返し、検知プログラムＰ２の起動が停止した場合（Ｓ１０２：ＹＥＳ）、検知処理を終了する。
【０１７２】
一方、サーバ装置２は、通信端末装置２０から出力情報を受信したか否かを判断し（Ｓ１０５）、受信していない場合（Ｓ１０５：ＮＯ）、出力情報の受信待ちとなり、受信した場合（Ｓ１０５：ＹＥＳ）、記憶する検知設定情報に従って、受信した出力情報に基づきテレビジョン装置１０の状態（電源オン状態又は電源オフ状態）を検知する（Ｓ１０６）。そして、サーバ装置２は、検知した結果を検知日時と共に記憶テーブル７に記憶し（Ｓ１０７）、以降、最初のＳ１０５の段階へ戻り、上述した処理を繰り返すことになる。
【０１７３】
このように第６実施形態に係る発明では、サーバ装置２が中心となって、検知設定の特定に係る処理、及び検知処理を行うので、第１実施形態の場合に比べて、通信端末装置２０の処理負担を低減できる点にメリットがある。上述した内容以外は、第６実施形態の発明は、第１実施形態等と同様であり、第１実施形態等で説明した各種変形例を適用することも可能である。
【実施例７】
【０１７４】
図２４、２５は、本発明の第７実施形態に係る発明で用いられる第１１、１２フローチャートを示している。第７実施形態に係る発明は、上述した第２実施形態の発明と関連するものであり、第２実施形態では通信端末装置側で検知設定に係る処理及び検知処理を行っていたが、第６実施形態と同様に、サーバ側で検知設定に係る特定処理及び検知処理を行うようにしたことが特徴である。なお、第７実施形態に係る発明においても、基本的なハード構成等は第１実施形態等と同等であるため、同等である部分については、第１実施形態等と同じ符号を用いて以下、第７実施形態の説明を行う。
【０１７５】
第７実施形態で用いられる通信端末装置２０では、まず、検知設定に係る特定処理を行わないので、テレビジョン装置１０から取得した出力情報をサーバ装置２へ送信する。また、出力情報の送信に応じて、サーバ装置２から設定完了の通知を受信できれば、検知設定の特定処理の段階が終了となる。なお、検知設定後の通信端末装置２０の装置状態の検知に係る処理は、上述した第６実施形態の場合と同様である（図２３の第１０フローチャート参照）。
【０１７６】
また、第７実施形態で用いられるサーバ装置２は、第２実施形態では通信端末装置２０が行っていた検知設定に係る特定処理を行い、設定が完了すれば、設定情報を記憶して設定完了の通知を通信端末装置２０へ送信し、設定ができなければ、繰り返し検知設定を行う。なお、検知設定後のサーバ装置２の装置状態の検知に係る処理は、上述した第６実施形態の場合と同様である（図２３の第１０フローチャート参照）。
【０１７７】
図２４に示す第１１フローチャートは、検知設定の特定段階における通信端末装置２０が行う一連の処理の流れを整理したものであり、図２５に示す第１２フローチャートも検知設定の特定段階におけるサーバ装置２の処理の流れを示し、以降、これらの第１１、１２フローチャートを用いて、第７実施形態における検知設定の特定段階の内容を説明していく。
【０１７８】
まず、図２４の第１１フローチャートにおいて、通信端末装置２０は、テレビジョン装置１０からの出力情報（電源オフ操作に伴う情報、電源オン操作に伴う情報等）を取得したか否かを判断する（Ｓ１１０）。出力情報を取得していない場合（Ｓ１１０：ＮＯ）、取得待ちの状態となり、出力情報を取得した場合（Ｓ１１０：ＹＥＳ）、取得した出力情報をサーバ装置２０へ送信する（Ｓ１１１）。
【０１７９】
一方、図２５の第１２フローチャートにおいて、サーバ装置２は、通信端末装置２０からの出力情報を受信したか否かを判断し（Ｓ１２０）、受信しない場合（Ｓ１２０：ＮＯ）、受信待ちの状態となる。受信した場合（Ｓ１２０：ＹＥＳ）、サーバ装置２は、受信した出力情報に対して、上述した図２２の第９フローチャートのＳ８１〜Ｓ８８の段階と同等の処理内容のＳ１２１〜Ｓ１２８の段階の処理を行う。このようなＳ１２１〜Ｓ１２８の処理を経て、装置状態の検知に係る設定が完了したか否かを判断する（Ｓ１２９）。
【０１８０】
設定が完了していないと判断した場合（Ｓ１２９：ＮＯ）、サーバ装置２は、設定不可の通知を通信端末装置２０へ送信し（Ｓ１３０）、それからＳ１２０の段階へ戻り、上述した処理を繰り返す。また、設定が完了したと判断した場合（Ｓ１２９：ＹＥＳ）、サーバ装置２は、設定完了の通知を通信端末装置２０へ送信し（Ｓ１３１）、検知設定の特定段階の処理を終了する。
【０１８１】
図２４の第１１フローチャートに戻り、通信端末装置２０は、サーバ装置２から設定完了の通知を受信したか否かを判断する（Ｓ１１２）。設定完了の通知を受信しないで設定不可の通知を受信した場合（Ｓ１１２：ＮＯ）、最初のＳ１１０の段階へ戻り、上述した処理を繰り返す。また、設定完了の通知を受信した場合（Ｓ１１２：ＹＥＳ）、通信端末装置２０は検知設定の段階の処理を終了する。
【０１８２】
このように第７実施形態に係る発明では、サーバ装置２が中心となって、検知設定に係る特定処理、及び検知処理を行うので、第２実施形態の場合に比べて、通信端末装置２０の処理負担を低減できる点にメリットがある。上述した内容以外は、第７実施形態の発明は、第１実施形態等と同様であり、第１実施形態等で説明した各種変形例を適用することも可能である。
【実施例８】
【０１８３】
図２６は、本発明の第８実施形態に係る発明で用いられる第１３フローチャートを示している。第８実施形態に係る発明は、検知設定の特定等に係る出力を無線通信（例えば、無線ＬＡＮ）で送るようにしたことが特徴になっている。なお、第８実施形態に係る発明においても、基本的なハード構成等は第１実施形態等と同等であるため、同等である部分については、第１実施形態等と同じ符号を用いて以下、第８実施形態の説明を行う。
【０１８４】
第８実施形態に係る発明では、通信端末装置２０は、テレビジョン装置１０で表示させるコンテンツに応じた画面情報（映像情報等）について、上述した第１〜７実施形態と同様に、外部装置接続部２２からテレビジョン装置１０の第１接続部１７ａへ出力するが、検知設定の特定に係る処理及び検知処理に関する出力は、無線通信で受信するようにしている。そのため、通信端末装置２０は、無線通信部２３（通信手段）を用いて、テレビジョン装置１０の無線通信部１７ｆと無線通信を行う。
【０１８５】
無線通信を行うには、両者の無線通信の接続を確立することが必要となり、無線通信のＵＰｎＰ（Universal Plug and Play）に応じたデバイスディスカバリーに応じた処理を通じて、通信端末装置２０はテレビジョン装置１０が電源オン状態であるか、又は電源オフ状態であるかを検知することになる。無線通信の接続確立においては、テレビジョン装置１０から自己の識別情報・仕様等を通信先へ伝えるデバイスディスカバリーに応じたＵＰｎＰ信号（テレビジョン装置１０との通信接続が確立されていることを示す出力に相当）を受信するので、通信端末装置２０は、このＵＰｎＰ信号を受信して取得できれば、無線通信先としてテレビジョン装置１０を認識し、無線通信先のデバイスリストにテレビジョン装置１０を載せる処理を行うことになる。
【０１８６】
接続が確立した後は、その接続が維持されているかを、通信端末装置２０は、テレビジョン装置１０から無線通信で送信されてくるＵＰｎＰ信号で判断しており、テレビジョン装置１０からのＵＰｎＰ信号が途絶えると、テレビジョン装置１０は電源オフ状態になったと判断する。このように、第８実施形態では、ＵＰｎＰ信号を受信により取得できたか否かに基づき、テレビジョン装置１０（外部の表示装置）が電源オン状態であるか、又は電源オフ状態であるかをＣＰＵ２１が状態検知手段として検知しており、検知結果は上記の各実施形態と同様に、無線通信部２３を通じてサーバ装置２へ送信する処理を行う。よって、第８実施形態に係る通信端末装置２０の検知プログラムＰ２は、上述した内容及び第１３フローチャート等で示す処理をＣＰＵ２１が行って、ＣＰＵ２１が信号取得手段、状態検知手段、検知結果の送信処理手段等として機能することを規定した内容になっている。
【０１８７】
上述した内容を図２６の第１３フローチャートに基づき説明すると、接続確認の段階で、通信端末装置２０は、デバイスディスカバリーに応じたＵＰｎＰ信号をテレビジョン装置１０から無線通信を通じて受信したか否かを判断する（Ｓ１４０）。ＵＰｎＰ信号を受信していない場合（Ｓ１４０：ＮＯ）、通信端末装置２０は、テレビジョン装置１０は電源オフ状態であると検知し（Ｓ１４１）、検知結果をサーバ装置２へ送信し（Ｓ１４２）、Ｓ１４０の段階へ戻り、ＵＰｎＰ信号の受信待ちの状態となる。
【０１８８】
一方、ＵＰｎＰ信号を受信した場合（Ｓ１４０：ＹＥＳ）、通信端末装置２０は無線通信のデバイスリストにテレビジョン装置１０を載せて（Ｓ１４３）、テレビジョン装置１０は電源オン状態であると検知し（Ｓ１４４）、検知結果をサーバ装置２へ送信する（Ｓ１４５）。その後は、テレビジョン装置１０からのＵＰｎＰ信号を継続して受信しているかを判断し（Ｓ１４６）、受信が継続していれば（Ｓ１４６：ＹＥＳ）、Ｓ１４４の段階へ戻り、一方、ＵＰｎＰ信号を受信しないようになれば（Ｓ１４６：ＮＯ）、通信端末装置２０は、テレビジョン装置１０は電源オフ状態になったとの検知を行う（Ｓ１４１）。第８実施形態に係る発明は、上述した内容以外については第１実施形態等と同様であり、第１実施形態で述べた各サービスへの利用も第８実施形態においても同様に適用できる。このような第８実施形態に係る発明は、上述した第１〜７実施形態で説明した内容（ＨＤＭＩ接続で検知する内容）で装置状態の検知をできない場合等に対して好適に用いることができる。
【０１８９】
なお、テレビジョン装置１０がＤＬＮＡ（Digital Living Network Alliance）に応じた仕様になっている場合、接続待ちにより電源オフ状態にならないこともあるため、このような場合は、上述した第１実施形態と同様に、図７（ｃ）に示すユーザ指示画面３６を通信端末装置２０がテレビジョン装置１０へ出力して、テレビジョン装置１０で表示させることで、ユーザに電源オフ操作と電源オン操作を行ってもらい、これらの各操作に伴うＵＰｎＰ信号を受信できるかを確認して、装置状態の検知を行えるかを事前に判断するようにしてもよい。
【０１９０】
また、通信端末装置２０がテレビジョン装置１０に表示させる画面情報を出力する経路としては、ＨＤＭＩに応じた伝送路を用いる以外に、コンポジット、コンポーネント、ＭＨＬ（Mobile High-definition Link）、ＩＥＥＥ１３９４、ＶＧＡ（Video
Graphics Array）、ＤＶＩ（Digital Visual Interface）等の規格に応じた伝送路を用いることも可能であり、その場合は、それぞれの規格に応じた接続部を通信端末装置２０及びテレビジョン装置１０に設けることになる。
【０１９１】
さらに、無線通信を介して、通信端末装置２０がテレビジョン装置１０に表示させる画面情報を送れる場合は、上述した伝送路による接続を省略することも可能である。また、無線通信の替わりに有線通信（例えば、有線ＬＡＮ等のイーサネット（登録商標））を用いることも当然可能であり、この場合は、有線通信に応じた通信インタフェースを通信端末装置２０及びテレビジョン装置１０の両方に設けることになる。
【０１９２】
さらにまた、上述した第４、５実施形態と同様に、テレビジョン装置１０の電源オン／オフ状態を検知できるかを示す検知設定情報を機種ごとに格納した検知設定テーブル８の項目の中に、有線／無線ＬＡＮ通信によるＵＰｎＰ信号による電源オン／オフを検知できるかを示す項目を設けて、このような変形例の検知設定テーブル８に基づき、ＵＰｎＰ信号に基づき装置状態の検知を行えるかを判断する仕様にすることも可能である。この場合は、上述した第４実施形態等において、例えば「ＨＤＭＩ−ＣＥＣ」、「ＨＰＤ」、「ＨＤＣＰ」、「ＵＰｎＰ」の優先順序で装置状態の検知に用いる設定を特定するようにして、それにより、「ＨＤＭＩ−ＣＥＣ」、「ＨＰＤ」、「ＨＤＣＰ」のいずれでも検知できない場合に、「ＵＰｎＰ  可」であれば、ＵＰｎＰ信号により検知が行えること等を容易に判別できるようになる。
【実施例９】
【０１９３】
図２７は、本発明の第９実施形態に係る発明で用いられる第１４フローチャートを示している。第９実施形態に係る発明は、検知設定等に係る出力を無線接続（例えば、ブルートゥース（登録商標））で送るようにしたことが特徴になっている。なお、第９実施形態に係る発明においても、基本的なハード構成等は第１実施形態等と同等であるため、同等である部分については、第１実施形態等と同じ符号を用いて以下、第９実施形態の説明を行う。
【０１９４】
第９実施形態に係る発明は、基本的な内容は、上述した第８実施形態と同様であり、第８実施形態の無線通信が無線接続に置き換わった内容になっている。具体的に、通信端末装置２０は、テレビジョン装置１０で表示させるコンテンツに応じた画面情報（映像情報等）については、上述した第１〜８実施形態と同様に、外部装置接続部２２からテレビジョン装置１０の第１接続部１７ａへ出力するが、検知設定の特定に係る処理及び検知処理に関する出力は、無線接続で取得するようにしている。そのため、通信端末装置２０は、無線接続部２５（接続手段）を用いて、テレビジョン装置１０の無線通信部１７ｄと無線接続を行う。
【０１９５】
無線接続を行うにも、両者の接続を確立することが必要となり、無線接続のデバイスディスカバリーに応じた処理を通じて、通信端末装置２０はテレビジョン装置１０が電源オン状態であるか、又は電源オフ状態であるかを検知することになる。無線接続の接続確立においては、テレビジョン装置１０から自己の識別情報・仕様等を通信先へ伝えるデバイスディスカバリー信号（テレビジョン装置１０との通信接続確立を示す出力に相当）を送信するので、接続先（通信端末装置２０）は、このデバイスディスカバリー信号を取得できれば、無線接続としてテレビジョン装置１０を認識し、無線接続先のデバイスリストにテレビジョン装置１０を載せる処理を行うことになる。
【０１９６】
接続が確立した後は、その接続が維持されているかを、通信端末装置２０は、テレビジョン装置１０から無線接続で送られてくるデバイスディスカバリー信号で判断しており、テレビジョン装置１０からの信号が途絶えると、テレビジョン装置１０は電源オフ状態になったと判断する。このように、第９実施形態では、デバイスディスカバリー信号を取得したか否かに基づき、テレビジョン装置１０（外部の表示装置）が電源オン状態であるか、又は電源オフ状態であるかをＣＰＵ２１が状態検知手段として検知しており、検知結果は上記の各実施形態と同様に、無線通信部２３を通じてサーバ装置２へ送信する処理を行う。よって、第９実施形態に係る通信端末装置２０の検知プログラムＰ２は、上述した内容及び第１４フローチャート等で示す処理をＣＰＵ２１が行って、ＣＰＵ２１が信号取得手段、状態検知手段、検知結果の送信処理手段等として機能することを規定した内容になっている。
【０１９７】
図２７の第１４フローチャートのＳ１５０〜Ｓ１５６の処理内容は、図２６の第１３フローチャートのＳ１４０〜Ｓ１４６の処理の流れと同等になっており、デバイスディスカバリー信号の取得の有無により、電源オン状態又は電源オフ状態を通信端末装置２０が検知するようになっている。このような第９実施形態に係る発明は、上述した第１〜８実施形態で説明した内容（ＨＤＭＩ接続で検知する内容、無線／有線ＬＡＮで検知する内容）で装置状態の検知をできない場合等に対して好適に用いることができる。
【０１９８】
なお、第９実施形態においても、第８実施形態で説明した各種変形例の適用が可能であり、例えば、画面情報の伝送に用いる伝送経路としては、ＨＤＭＩ以外に、コンポジット、コンポーネント、ＭＨＬ（Mobile High-definition Link）、ＩＥＥＥ１３９４、ＶＧＡ（Video
Graphics Array）、ＤＶＩ（Digital Visual Interface）等の規格に応じた伝送路を適用することも可能である。また、上述した第４、５実施形態と同様に、テレビジョン装置１０の電源オン／オフ状態を検知できるかを示す検知設定情報を機種ごとに格納した検知設定テーブル８の項目の中に、ブルートゥース（登録商標）のデバイスディスカバリー信号により電源オン／オフを検知できるかを示す項目を設けて、このような変形例の検知設定テーブル８に基づき、デバイスディスカバリー信号に基づき装置状態の検知を行えるかを特定できる仕様にすることも可能である。この場合は、上述した第４実施形態等において、例えば「ＨＤＭＩ−ＣＥＣ」、「ＨＰＤ」、「ＨＤＣＰ」、「ＵＰｎＰ」、「デバイスディスカバリー信号」の優先順序で装置状態の検知に用いる設定を特定するようにして、それにより、「ＨＤＭＩ−ＣＥＣ」、「ＨＰＤ」、「ＨＤＣＰ」、「ＵＰｎＰ」のいずれでも検知できない場合に、「デバイスディスカバリー信号  可」であれば、「デバイスディスカバリー信号」により検知が行えること等を容易に判別できるようになる。
【実施例１０】
【０１９９】
図２８は、本発明の第１０実施形態に係る発明で用いられる第１５フローチャートを示している。第１０実施形態に係る発明は、検知設定等に係る出力をＵＳＢ規格に応じた接続経路で送るようにしたことが特徴になっている。なお、第１０実施形態に係る発明においても、基本的なハード構成等は第１実施形態等と同等であるため、同等である部分については、第１実施形態等と同じ符号を用いて以下、第１０実施形態の説明を行う。
【０２００】
第１０実施形態に係る発明は、基本的な内容は、上述した第８、９実施形態と同様であり、第８実施形態の無線通信がＵＳＢ接続に置き換わった内容になっている。具体的に、通信端末装置２０は、テレビジョン装置１０で表示させるコンテンツに応じた画面情報（映像情報等）について、上述した第１〜８実施形態と同様に、外部装置接続部２２からテレビジョン装置１０の第１接続部１７ａへ出力するが、検知設定の特定に係る処理及び検知処理に関する信号は、ＵＳＢ接続の伝送経路を通じて送受するようにしている。
【０２０１】
そのため、通信端末装置２０は、外部インタフェース接続部２４（接続手段）を用いて、テレビジョン装置１０の第２接続部１７ｂと、ＵＳＢケーブルを用いて接続した状態になっているものとする。なお、この場合の例において、通信端末装置２０の外部インタフェース接続部２４はＵＳＢホストの仕様になっていると共に、テレビジョン装置１０の第２接続部１７ｂはＵＳＢデバイスの仕様になっているものとする。また、ＵＳＢ接続に用いられるＵＳＢケーブルには複数の伝送線が含まれており、その中の一つに「Ｄ＋／Ｄ−」信号線が存在する。
【０２０２】
上記の場合におけるＵＳＢ接続では、「Ｄ＋／Ｄ−」信号線で送られる信号の有無により、接続先との通信接続が確立されているかを示し、それにより、通信端末装置２０はテレビジョン装置１０の電源オン／オフ状態を検知しており、「Ｄ＋／Ｄ−」信号線の信号（テレビジョン装置との接続確立を示す出力に相当）が有る場合、テレビジョン装置１０は電源オン状態となり、「Ｄ＋／Ｄ−」信号線の信号が無い場合、テレビジョン装置１０は電源オフ状態となるので、「Ｄ＋／Ｄ−」信号線の信号の有無でテレビジョン装置１０の電源オン／オフ状態を検知し、検知結果は上記の各実施形態と同様に、無線通信部２３を通じてサーバ装置２へ送信する処理を行う。よって、第１０実施形態に係る通信端末装置２０の検知プログラムＰ２においても、上述した内容及び第１５フローチャート等で示す処理をＣＰＵ２１が行って、ＣＰＵ２１が信号取得手段、状態検知手段、検知結果の送信処理手段等として機能することが規定されている。
【０２０３】
また、ＵＳＢホストである通信端末装置２０は、テレビジョン装置１０の機種情報（ベンダーＩＤ、プロダクトＩＤ）を取得することができると共に、テレビジョン装置１０のコマンドが予め分かる場合はテレビジョン装置１０の制御をＵＳＢ接続を通じて行える可能性がある。さらには将来的にテレビジョン装置１０の制御用の標準的な枠組みが規格化されて、ＵＳＢ経由でテレビジョン装置１０のソース切替、視聴時間等の情報を取得できる可能性があり、これらの情報を取得できれば、見守りサービスに利用した場合において、より細やかな見守りを行うことができるので（例えば、２４時間無操作等）、好適となる。
【０２０４】
図２８の第１５フローチャートのＳ１６０〜Ｓ１６６の処理内容は基本的に、図２６の第１３フローチャートのＳ１４０〜Ｓ１４６の処理の流れと同等になっており、上述したように、「Ｄ＋／Ｄ−」信号線の信号の有無により、電源オン状態又は電源オフ状態を通信端末装置２０が検知するようになっている。このような第１０実施形態に係る発明は、上述した第１〜９実施形態で説明した内容（ＨＤＭＩ接続で検知する内容、無線／有線ＬＡＮで検知する内容、ブルートゥース（登録商標）で検知する内容）で装置状態の検知をできない場合等に対して好適に用いることができる。
【０２０５】
なお、第１０実施形態においても、第８、９実施形態等で説明した各種変形例の適用が可能であり、例えば、画面情報の伝送に用いる伝送経路としては、ＨＤＭＩ以外に、コンポジット、コンポーネント、ＭＨＬ（Mobile High-definition Link）、ＩＥＥＥ１３９４、ＶＧＡ（Video
Graphics Array）、ＤＶＩ（Digital Visual Interface）等の規格に応じた伝送路を適用することも可能である。
【０２０６】
また、テレビジョン装置１０がＵＳＢビデオカードとしての機能を具備する場合は、ＵＳＢ経由で通信端末装置２０から画面情報（映像信号）を伝送することができるので、この場合は、ＵＳＢ以外の伝送路（ＨＤＭＩ等）による接続を省略することも可能になる。さらに、上述した第４、５実施形態と同様に、テレビジョン装置１０の電源オン／オフ状態を検知できるかを示す検知設定情報を機種ごとに格納した検知設定テーブル８の項目の中に、ＵＳＢによる「Ｄ＋／Ｄ−」信号線の信号により電源オン／オフを検知できるかを示す項目を設けて、このような変形例の検知設定テーブル８に基づき、「Ｄ＋／Ｄ−」信号線の信号に基づき装置状態の検知を行えるかを特定できる仕様にすることも可能である。この場合は、上述した第４実施形態等において、例えば「ＨＤＭＩ−ＣＥＣ」、「ＨＰＤ」、「ＨＤＣＰ」、「ＵＰｎＰ」、「デバイスディスカバリー信号」、「Ｄ＋／Ｄ−」の優先順序で装置状態の検知に用いる設定を特定するようにして、それにより、「ＨＤＭＩ−ＣＥＣ」、「ＨＰＤ」、「ＨＤＣＰ」、「ＵＰｎＰ」、「デバイスディスカバリー信号」のいずれでも検知できない場合に、「Ｄ＋／Ｄ−  可」であれば、「Ｄ＋／Ｄ−」信号線の信号で検知を行えること等が容易に判別できるようになる。
【０２０７】
さらにまた、上述した仕様とは逆に、通信端末装置２０の外部インタフェース接続部２４をＵＳＢデバイスにすると共に、テレビジョン装置１０の第２接続部１７ｂをＵＳＢホストにすることも可能である。この仕様の場合も、「Ｄ＋／Ｄ−」信号線で送られる信号の有無により、通信端末装置２０はテレビジョン装置１０の電源オン／オフ状態を検知でき、さらには、テレビジョン装置１０からの給電がＵＳＢ経由で行われるか否かを確認することで、テレビジョン装置１０の電源オン／オフ状態を通信端末装置２０が検知することも可能である（給電アリの場合は電源オン状態となり、給電ナシの場合は電源オフ状態となる）。
【実施例１１】
【０２０８】
本発明の第１１実施形態に係る発明は、通信端末装置とテレビジョン装置とを、映像伝送線及びシリアルケーブルで接続した構成となる。映像伝送路としては、上述したＨＤＭＩに応じた接続経路以外に、コンポジット、コンポーネント、ＭＨＬ（Mobile High-definition Link）、ＩＥＥＥ１３９４、ＶＧＡ（Video
Graphics Array）、ＤＶＩ（Digital Visual Interface）等の規格に応じた伝送路を適用することができ、一方とシリアルケーブルによるシリアル接続としては、ＲＳ−２３２Ｃ等の規格に応じたものを適用する。そのため、第１１実施形態においては、上述した規格に応じた接続部を通信端末装置及びテレビジョン装置に具備するようにしている。
【０２０９】
通信端末装置は、テレビジョン装置の電源オン／オフ状態の検知はシリアル接続を通じ行うことになり、この場合、テレビジョン装置１０に対するシリアルコマンドの全ての種類を予めを把握している必要がある。そのため、このようなシリアルコマンドの全てを格納したコマンドテーブルを通信端末装置は記憶しておき、このコマンドテーブルに格納されているコマンドを順次、シリアル接続を経由してテレビジョン装置へ送り、テレビジョン装置から、所定の応答が返ってきたか否かで、装置状態の検知を行えるか否かを判断することになる。全てのコマンドを順次送っても、所定の応答が返ってこない場合は、接続先のテレビジョン装置は検知不可の機種となり、一方、所定の応答が返ってきたテレビジョン装置に対しては検知可能の機種になる。
【産業上の利用可能性】
【０２１０】
本発明は、表示装置（例えば、テレビジョン装置）自体が、自身の操作状態を検知する機能を有しない場合でも、通信端末装置を表示装置に接続して、その通信端末装置で表示装置の操作状態を検知してサーバへ通知するので、表示装置の操作状態を用いた各種サービスに好適に利用可能である。
【符号の説明】
【０２１１】
１  装置状態確認システム
２  サーバ装置
２ａ  ＭＰＵ
４  状態確認プログラム
７  記憶テーブル
８  検知設定テーブル
１０  テレビジョン装置
１４  制御部
１７ａ  第１接続部
１９  リモコン装置
２０  通信端末装置
２１  ＣＰＵ
２９  無線ルータ
Ｐ２  検知プログラム
Ｋ１〜Ｋ３  見守る人
Ｍ１  見守られる人
Ｈ１  家屋
ＮＷ  ネットワーク
【図１】
2014216915.tif 000003
【図２】
2014216915.tif 000004
【図３】
2014216915.tif 000005
【図４】
2014216915.tif 000006
【図５】
2014216915.tif 000007
【図６】
2014216915.tif 000008
【図７】
2014216915.tif 000009
【図８】
2014216915.tif 000010
【図９】
2014216915.tif 000011
【図１０】
2014216915.tif 000012
【図１１】
2014216915.tif 000013
【図１２】
2014216915.tif 000014
【図１３】
2014216915.tif 000015
【図１４】
2014216915.tif 000016
【図１５】
2014216915.tif 000017
【図１６】
2014216915.tif 000018
【図１７】
2014216915.tif 000019
【図１８】
2014216915.tif 000020
【図１９】
2014216915.tif 000021
【図２０】
2014216915.tif 000022
【図２１】
2014216915.tif 000023
【図２２】
2014216915.tif 000024
【図２３】
2014216915.tif 000025
【図２４】
2014216915.tif 000026
【図２５】
2014216915.tif 000027
【図２６】
2014216915.tif 000028
【図２７】
2014216915.tif 000029
【図２８】
2014216915.tif 000030